(57)【特許請求の範囲】
【請求項１】
第１のデバイスツーデバイス（Ｄ２Ｄ）発見期間に対するＤ２Ｄ発見期間指標値、並びに前記第１のＤ２Ｄ発見期間に対するＤ２Ｄ発見リソース割り当てを示すＤ２Ｄ発見リソース割り当てパラメータの第１の組を含むＤ２Ｄ構成情報を受信し、Ｄ２Ｄ発見リソース割り当てパラメータの前記第１の組が、第１のＤ２Ｄ発見周波数リソース指標、及び第１のＤ２Ｄ発見時間リソース指標を含み、かつ
第１のＤ２Ｄ発見信号を前記第１のＤ２Ｄ発見期間中に、前記第１のＤ２Ｄ発見期間に対する前記Ｄ２Ｄ発見リソース割り当てを使用して送信する
ための、少なくとも１つの無線周波数（ＲＦ）トランシーバと、
少なくとも一部分がハードウェアの形である論理回路とを備え、前記論理回路が、
第２のＤ２Ｄ発見期間に対するＤ２Ｄ発見期間指標値を前記第１のＤ２Ｄ発見期間に対する前記Ｄ２Ｄ発見期間指標値に基づいて決定し、かつ
Ｄ２Ｄ発見リソース割り当てパラメータの第２の組をＤ２Ｄ発見リソース割り当てパラメータの前記第１の組、並びに前記第２のＤ２Ｄ発見期間に対する前記Ｄ２Ｄ発見期間指標値に基づいて決定し、Ｄ２Ｄ発見リソース割り当てパラメータの前記第２の組が、前記第２のＤ２Ｄ発見期間に対するＤ２Ｄ発見リソース割り当てを示し、Ｄ２Ｄ発見リソース割り当てパラメータの前記第２の組が、第２のＤ２Ｄ発見周波数リソース指標、及び第２のＤ２Ｄ発見時間リソース指標を含み、前記論理回路が、前記第２のＤ２Ｄ発見時間リソース指標を、前記Ｄ２Ｄ構成情報に含まれるセル固有のシフトパラメータに基づいて決定する、ユーザ機器（ＵＥ）。
【請求項２】
前記論理回路が、前記第２のＤ２Ｄ発見周波数リソース指標を、前記第１のＤ２Ｄ発見周波数リソース指標、前記第１のＤ２Ｄ発見時間リソース指標、及び前記第２のＤ２Ｄ発見期間に対する前記Ｄ２Ｄ発見期間指標値に基づいて決定する、請求項１に記載のＵＥ。
【請求項３】
前記論理回路が、前記第２のＤ２Ｄ発見時間リソース指標を、前記第２のＤ２Ｄ発見期間に対する前記Ｄ２Ｄ発見期間指標値を参照せずに決定する、請求項１に記載のＵＥ。
【請求項４】
前記論理回路が、前記第２のＤ２Ｄ発見期間に対する前記Ｄ２Ｄ発見期間指標値を、前記第１のＤ２Ｄ発見期間に対する前記Ｄ２Ｄ発見期間指標値、及び最大許容Ｄ２Ｄ発見期間指標値に基づいて決定する、請求項１に記載のＵＥ。
【請求項５】
前記論理回路が、前記第２のＤ２Ｄ発見期間に対する前記Ｄ２Ｄ発見期間指標値として０の値を、前記第１のＤ２Ｄ発見期間に対する前記Ｄ２Ｄ発見期間指標値が前記最大許容Ｄ２Ｄ発見期間指標値に等しいという判定に応じて決定する、請求項４に記載のＵＥ。
【請求項６】
前記少なくとも１つのＲＦトランシーバが、第２のＤ２Ｄ発見信号を前記第２のＤ２Ｄ発見期間中に、前記第２のＤ２Ｄ発見期間に対する前記Ｄ２Ｄ発見リソース割り当てを使用して送信する、請求項１に記載のＵＥ。
【請求項７】
少なくとも１つのメモリユニットと、
タッチスクリーン表示装置と
を備える、請求項１から請求項６のいずれかに記載のＵＥ。
【請求項８】
命令の組を含み、前記命令の組がユーザ機器（ＵＥ）において実行されることに応じて、前記ＵＥが、
第１の時間リソース指標と、第１の周波数リソース指標と、第１のデバイスツーデバイス（Ｄ２Ｄ）発見期間に対応するＤ２Ｄ発見期間指標値とを含む無線リソース制御（ＲＲＣ）メッセージを受信し、
１つ又は複数のＤ２Ｄ発見信号を前記第１のＤ２Ｄ発見期間中に、前記第１の時間リソース指標及び前記第１の周波数リソース指標に基づいて識別されたＤ２Ｄ発見リソースを使用して送信し、
第２の時間リソース指標を前記第１の時間リソース指標、前記第１の周波数リソース指標、及び前記ＲＲＣメッセージに含まれるセル固有のシフトパラメータに基づいて決定し、
第２の周波数リソース指標を前記第１の時間リソース指標、前記第１の周波数リソース指標、及び第２のＤ２Ｄ発見期間に対応するＤ２Ｄ発見期間指標値に基づいて決定し、かつ
前記第２のＤ２Ｄ発見期間のＤ２Ｄ発見リソースを前記第２の時間リソース指標及び前記第２の周波数リソース指標に基づいて識別する
ことになる、少なくとも１つのコンピュータプログラム。
【請求項９】
命令を含み、前記命令が前記ＵＥにおいて実行されることに応じて、前記ＵＥが、１つ又は複数のＤ２Ｄ発見信号を前記第２のＤ２Ｄ発見期間中に、前記第２のＤ２Ｄ発見期間の前記の識別されたＤ２Ｄ発見リソースを使用して送信することになる、請求項８に記載の少なくとも１つのコンピュータプログラム。
【請求項１０】
命令を含み、前記命令が前記ＵＥにおいて実行されることに応じて、前記ＵＥが、前記第２のＤ２Ｄ発見期間に対応する前記Ｄ２Ｄ発見期間指標値を、前記第１のＤ２Ｄ発見期間に対応する前記Ｄ２Ｄ発見期間指標値、及び定義された最大Ｄ２Ｄ発見期間指標値に基づいて決定することになる、請求項８に記載の少なくとも１つのコンピュータプログラム。
【請求項１１】
命令を含み、前記命令が前記ＵＥにおいて実行されることに応じて、前記ＵＥが、
前記第２のＤ２Ｄ発見期間に対応する前記Ｄ２Ｄ発見期間指標値を、前記第１のＤ２Ｄ発見期間に対応する前記Ｄ２Ｄ発見期間指標値が前記定義された最大Ｄ２Ｄ発見期間指標値未満であるという判定に応じて、前記第１のＤ２Ｄ発見期間に対応する前記Ｄ２Ｄ発見期間指標値をインクリメントすることによって決定し、かつ
前記第２のＤ２Ｄ発見期間に対応する前記Ｄ２Ｄ発見期間指標値を、前記第１のＤ２Ｄ発見期間に対応する前記Ｄ２Ｄ発見期間指標値が前記定義された最大Ｄ２Ｄ発見期間指標値に等しいという判定に応じて、０に等しくなるように決定することになる、請求項１０に記載の少なくとも１つのコンピュータプログラム。
【請求項１２】
命令を含み、前記命令が前記ＵＥにおいて実行されることに応じて、前記ＵＥが、前記第２の時間リソース指標を、前記第２のＤ２Ｄ発見期間に対応する前記Ｄ２Ｄ発見期間指標値を参照せずに決定することになる、請求項８に記載の少なくとも１つのコンピュータプログラム。
【請求項１３】
命令を含み、前記命令が前記ＵＥにおいて実行されることに応じて、前記ＵＥが、
前記第２のＤ２Ｄ発見期間に対する複数の周波数リソース指標を、前記第１の時間リソース指標、前記第１の周波数リソース指標、前記第２のＤ２Ｄ発見期間に対応する前記Ｄ２Ｄ発見期間指標値、及び前記第２のＤ２Ｄ発見期間中に送信されるべきＤ２Ｄ発見媒体アクセス制御（ＭＡＣ）プロトコルデータユニット（ＰＤＵ）の数に基づいて決定し、かつ
前記Ｄ２Ｄ  ＭＡＣ  ＰＤＵを前記第２のＤ２Ｄ発見期間中に、前記複数の周波数リソース指標によって示された周波数リソースを使用して送信することになる、請求項８に記載の少なくとも１つのコンピュータプログラム。
【請求項１４】
命令を含み、前記命令が前記ＵＥにおいて実行されることに応じて、前記ＵＥが、前記第２の時間リソース指標及び前記第２の周波数リソース指標を、前記第２のＤ２Ｄ発見期間内に含まれるＤ２Ｄ発見サブフレームの数を示すパラメータに基づいて決定することになる、請求項８に記載の少なくとも１つのコンピュータプログラム。
【請求項１５】
少なくとも一部分がハードウェアの形である論理回路を備える装置であって、前記論理回路が、
第１の時間リソース指標及び第１の周波数リソース指標を指定するデバイスツーデバイス（Ｄ２Ｄ）発見構成情報を含む無線リソース制御（ＲＲＣ）メッセージを受信し、
第１のＤ２Ｄ発見期間に対するＤ２Ｄ発見リソースプールに含まれるＤ２Ｄ発見リソースの組を含む第１のユーザ機器（ＵＥ）固有のリソース割り当てを決定し、前記第１のＵＥ固有のリソース割り当てが、前記第１の時間リソース指標及び前記第１の周波数リソース指標に基づいて決定され、
Ｄ２Ｄ発見信号を前記第１のＤ２Ｄ発見期間中に、前記第１のＵＥ固有のリソース割り当てを使用して送信し、
第２のＤ２Ｄ発見期間に対するＤ２Ｄ発見リソース割り当てパラメータの組を前記第１の時間リソース指標、前記第１の周波数リソース指標、及び前記第２のＤ２Ｄ発見期間に対するＤ２Ｄ発見期間指標値に基づいて決定し、Ｄ２Ｄ発見リソース割り当てパラメータの前記組が、第２の時間リソース指標及び第２の周波数リソース指標を含み、前記論理回路が、前記第２の時間リソース指標を、前記Ｄ２Ｄ発見構成情報に含まれるセル固有のシフトパラメータに基づいて決定し、かつ
第２のＤ２Ｄ発見期間に対するＤ２Ｄ発見リソースプールに含まれるＤ２Ｄ発見リソースの組を含む第２のＵＥ固有のリソース割り当てをＤ２Ｄ発見リソース割り当てパラメータの前記組に基づいて決定する、装置。
【請求項１６】
前記論理回路が、Ｄ２Ｄ発見信号を前記第２のＤ２Ｄ発見期間中に、前記第２のＵＥ固有のリソース割り当てを使用して送信する、請求項１５に記載の装置。
【請求項１７】
前記論理回路が、前記第２の周波数リソース指標を、前記第１の時間リソース指標、前記第１の周波数リソース指標、及び前記第２のＤ２Ｄ発見期間に対する前記Ｄ２Ｄ発見期間指標値に基づいて決定する、請求項１５に記載の装置。
【請求項１８】
前記論理回路が、前記第２の時間リソース指標を、前記第２のＤ２Ｄ発見期間に対する前記Ｄ２Ｄ発見期間指標値を参照せずに決定する、請求項１５に記載の装置。
【請求項１９】
前記論理回路が、前記第２のＤ２Ｄ発見期間に対する前記Ｄ２Ｄ発見期間指標値を、前記第１のＤ２Ｄ発見期間に対するＤ２Ｄ発見期間指標値に基づいて決定し、前記第１のＤ２Ｄ発見期間に対する前記Ｄ２Ｄ発見期間指標値が、前記Ｄ２Ｄ発見構成情報に含まれる、請求項１５に記載の装置。
【請求項２０】
前記論理回路が、前記第２のＤ２Ｄ発見期間に対する前記Ｄ２Ｄ発見期間指標値を、前記第１のＤ２Ｄ発見期間に対する前記Ｄ２Ｄ発見期間指標値、及び定義された最大Ｄ２Ｄ発見期間指標値に基づいて決定する、請求項１９に記載の装置。
【請求項２１】
請求項１５から請求項２０のいずれかに記載の装置と、
少なくとも１つの無線周波数（ＲＦ）トランシーバと、
少なくとも１つのＲＦアンテナと
を備えるユーザ機器（ＵＥ）。
【請求項２２】
請求項８から請求項１４のいずれか一項に記載のコンピュータプログラムを記憶したコンピュータ読み取り可能な記憶媒体。
【発明の詳細な説明】
【技術分野】
【０００１】
関連出願
本出願は、参照により全体が本明細書に組み込まれる、２０１４年８月７日に出願された米国特許仮出願第６２／０３４，６３４号に対する優先権を主張する。
【０００２】
技術分野
本明細書の実施形態は一般に、広帯域無線通信ネットワークにおけるデバイス間の通信に関する。
【背景技術】
【０００３】
進化型ユニバーサル移動通信システム地上無線アクセスネットワーク（Ｅ−ＵＴＲＡＮ）において、進化型ノードＢ（ｅＮＢ）は、デバイスツーデバイス（Ｄ２Ｄ）発見信号送信を、そのような送信をしたいＤ２Ｄ対応ユーザ機器（Ｄ２Ｄ  ＵＥ）の一部に適応させるために無線チャネルリソースを割り当てることを担い得る。所与のＤ２Ｄ発見リソース割り当ては、一連のＤ２Ｄ発見期間に適用され得る。適用可能発見モードに応じて、ｅＮＢは、Ｄ２Ｄ発見リソースをＵＥ固有に、又は非ＵＥ固有に割り当てることができる。ＵＥ固有のＤ２Ｄ発見リソース割り当てに関しては、半二重制約の影響を小さくするために、及び／又は帯域内放射に伴う干渉をランダム化するために、リソースホッピング方式を利用することができる。このようなリソースホッピング方式によれば、Ｄ２Ｄ発見送信のためにＵＥに割り当てられる特定のサブフレーム及び／又はサブキャリアは、Ｄ２Ｄ発見期間にわたって、また場合によってはその期間内で、変化し得る。
【図面の簡単な説明】
【０００４】
【図１】第１の動作環境の実施形態を例示する図である。
【図２】第２の動作環境の実施形態を例示する図である。
【図３】第３の動作環境の実施形態を例示する図である。
【図４】第１の論理フローの実施形態を例示する図である。
【図５】第２の論理フローの実施形態を例示する図である。
【図６】第３の論理フローの実施形態を例示する図である。
【図７】記憶媒体の実施形態を例示する図である。
【図８】デバイスの実施形態を例示する図である。
【図９】無線ネットワークの実施形態を例示する図である。
【発明を実施するための形態】
【０００５】
様々な実施形態は一般に、デバイスツーデバイス（Ｄ２Ｄ）発見のためのリソース割り当て技法を対象とすることができる。１つの実施形態では、たとえば、ユーザ機器（ＵＥ）は、第１のデバイスツーデバイス（Ｄ２Ｄ）発見期間に対するＤ２Ｄ発見期間指標値を含むＤ２Ｄ構成情報を受信するための、少なくとも１つの無線周波数（ＲＦ）トランシーバと、少なくとも一部分がハードウェアの形である論理回路とを含むことができ、この論理回路は、第２のＤ２Ｄ発見期間に対するＤ２Ｄ発見期間指標値を第１のＤ２Ｄ発見期間に対するＤ２Ｄ発見期間指標値に基づいて決定し、かつ第２のＤ２Ｄ発見期間に対するＤ２Ｄ発見リソース割り当てパラメータの組を第１のＤ２Ｄ発見期間に対するＤ２Ｄ発見リソース割り当てパラメータの組、及び第２のＤ２Ｄ発見期間に対するＤ２Ｄ発見期間指標値に基づいて決定する。他の実施形態も説明され特許請求される。
【０００６】
様々な実施形態は１つ又は複数の要素を備え得る。一要素は、特定の動作をするように構成された任意の構造を含み得る。各要素は、ハードウェア、ソフトウェア、又はこれらの任意の組合せとして、設計パラメータ又は動作制約条件の所与の組に対する要望に応じて、実現することができる。一実施形態は、特定のトポロジにおける限定された数の要素を用いて例示的に説明されることがあるが、その実施形態は、代替トポロジにおいてもっと多い又は少ない要素を所与の実施態様に対する要望に応じて含み得る。「１つの実施形態」又は「一実施形態」に言及することがあれば、その実施形態に関連して説明される特定の特徴、構造、又は特性が少なくとも１つの実施形態に含まれることを意味するということは、注意するだけの価値がある。本明細書の様々な所に「１つの実施形態において」、「いくつかの実施形態において」、及び「様々な実施形態において」という語句が現われても、同じ実施形態を指しているとは限らない。
【０００７】
本明細書に開示された技法には、１つ又は複数の無線接続を介し、１つ又は複数の無線移動広帯域技術を使用してデータを送信することが含まれ得る。たとえば、様々な実施形態には、改訂版、後継版及び変形版を含む、１つ又は複数の第３世代パートナーシッププロジェクト（３ＧＰＰ）、３ＧＰＰロングタームエボルーション（ＬＴＥ）、並びに／又は３ＧＰＰ  ＬＴＥアドバンスト（ＬＴＥ−Ａ）技術及び／若しくは標準による、１つ又は複数の無線接続を介した送信が包含され得る。様々な実施形態には加えて、又は別法として、改訂版、後継版及び変形版を含む、１つ又は複数の汎欧州デジタル移動電話方式（ＧＳＭ（登録商標））／ＧＳＭ進化型高速データレート（ＥＤＧＥ）、ユニバーサル移動体通信システム（ＵＴＭＳ）／高速パケットアクセス（ＨＳＰＡ）、並びに／又はＧＳＭと汎用パケット無線サービス（ＧＰＲＳ）システム（ＧＳＭ／ＧＰＲＳ）技術及び／若しくは標準による送信が包含され得る。
【０００８】
無線移動広帯域技術及び／又は標準の例にはまた、それだけには限らないが、改訂版、後継版及び変形版を含む、ＩＥＥＥ８０２．１６ｍ及び／又は８０２．１６ｐなどの米国電気電子学会（ＩＥＥＥ）８０２．１６無線広帯域標準、国際移動体通信アドバンスト（ＩＭＴ−ＡＤＶ）、ワールドワイドインターオペラビリティフォーマイクロウェーブアクセス（ＷｉＭＡＸ）並びに／又はＷｉＭＡＸ  ＩＩ、符号分割多元接続（ＣＤＭＡ）２０００（たとえば、ＣＤＭＡ２０００  ｌｘＲＴＴ、ＣＤＭＡ２０００  ＥＶ−ＤＯ、ＣＤＭＡ  ＥＶ−ＤＶなど）、ハイパフォーマンス無線メトロポリタンエリアネットワーク（ＨＩＰＥＲＭＡＮ）、無線広帯域（ＷｉＢｒｏ）、高速ダウンリンクパケットアクセス（ＨＳＤＰＡ）、高速直交周波数分割多重（ＯＦＤＭ）パケットアクセス（ＨＳＯＰＡ）、高速アップリンクパケットアクセス（ＨＳＵＰＡ）技術及び／若しくは標準のいずれかが含まれ得る。
【０００９】
いくつかの実施形態は加えて、又は別法として、別の無線通信技術及び／又は標準による無線通信を包含することができる。様々な実施形態に使用できる他の無線通信技術及び／又は標準の例には、それだけには限らないが、ＩＥＥＥ８０２．１１、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ｕ、ＩＥＥＥ８０２．１１ａｃ、ＩＥＥＥ８０２．１１ａｄ、ＩＥＥＥ８０２．１１ａｆ、及び／若しくはＩＥＥＥ８０２．１１ａｈ標準などの別のＩＥＥＥ無線通信標準、ＩＥＥＥ８０２．１１高効率ＷＬＡＮ（ＨＥＷ）委員会によって開発された高効率Ｗｉ−Ｆｉ標準、Ｗｉ−Ｆｉ、Ｗｉ−Ｆｉダイレクト、Ｗｉ−Ｆｉダイレクトサービス、ワイヤレスギガビット（ＷｉＧｉｇ）、ＷｉＧｉｇディスプレイエクステンション（ＷＤＥ）、ＷｉＧｉｇバスエクステンション（ＷＢＥ）、ＷｉＧｉｇシリアルエクステンション（ＷＳＥ）標準などのＷｉＦｉアライアンス（ＷＦＡ）無線通信標準、及び／若しくはＷＦＡネイバーアウェアネスネットワーキング（ＮＡＮ）タスクグループによって開発された標準、３ＧＰＰテクニカルレポート（ＴＲ）２３．８８７、３ＧＰＰテクニカルスペシフィケーション（ＴＳ）２２．３６８、及び／若しくは３ＧＰＰ  ＴＳ２３．６８２で具現化されている標準のような機械型通信（ＭＴＣ）標準、並びに／又は、ＮＦＣフォーラムによって開発された標準のような近距離無線通信（ＮＦＣ）標準が、上記のいずれかの任意の改訂版、後継版、及び／又は変形版も含めて、含まれ得る。実施形態は、これらの例に限定されない。
【００１０】
１つ又は複数の無線接続を介する通信に加えて、本明細書に開示された技法は、１つ又は複数の有線接続を介した、１つ又は複数の有線通信媒体によるコンテンツの送信を包含することができる。有線通信媒体の例には、電線、ケーブル、金属リード、プリント回路基板（ＰＣＢ）、バックプレーン、スイッチファブリック、半導体材料、ツイストペア線、同軸ケーブル、光ファイバなどが含まれ得る。実施形態は、この文脈に限定されない。
【００１１】
図１は動作環境１００の一例を例示し、この動作環境では、開示されたＤ２Ｄ発見のためのリソース割り当て技法を様々な実施形態で実現することができる。図１に示されるように、ｅＮＢ１０２はセル１０４に対し機能し、一般に無線接続性をセル１０４の中のＵＥに提供する。このような無線接続性の提供と併せて、ｅＮＢ１０２は、セル１０４の中のＵＥの無線リソース制御（ＲＲＣ）状態を管理するなどの動作を行って、無線チャネルリソースをセル１０４の中のＵＥの一部への通信に割り当て、セル１０４の中のＵＥにこのような割り当てリソースを通知するとともに、データをセル１０４の中のＵＥとの間で送信及び／又は受信することができる。この例では、セル１０４の中のＵＥにはＤ２Ｄ  ＵＥ１０６及び１０８が含まれ、したがってｅＮＢ１０２は、このような動作を、Ｄ２Ｄ  ＵＥ１０６及び１０８に無線接続性を提供することと併せて行うことができる。様々な実施形態では、ｅＮＢ１０２が行うＲＲＣ状態管理、リソース割り当て、通知、及び通信動作には、Ｄ２Ｄ発見、及びセル１０４の中のＤ２Ｄ  ＵＥ１０６とＤ２Ｄ  ＵＥ１０８との間などのＤ２Ｄ  ＵＥ間のデータ通信を可能にするために行われる動作が含まれ得る。いくつかの実施形態では、たとえば、ｅＮＢ１０２は、Ｄ２Ｄ  ＵＥ１０６がＤ２Ｄ発見信号を送信する際に使用するための無線チャネルリソースを割り当てることができる。様々なこのような実施形態において、ｅＮＢ１０２は、多期間Ｄ２Ｄ発見リソース割り当てを行うことができ、これにより、Ｄ２Ｄ  ＵＥ１０６がＤ２Ｄ発見信号を送信する際に使用するための一連のＤ２Ｄ発見期間のそれぞれのリソースを割り当てることができる。実施形態は、この文脈に限定されない。
【００１２】
図２は動作環境２００の一例を例示し、この動作環境では、開示されたＤ２Ｄ発見のためのリソース割り当て技法を様々な実施形態で実現することができる。動作環境２００は、いくつかの実施形態を表すことができ、これらの実施形態では、図１のｅＮＢ１０２は、多期間Ｄ２Ｄ発見リソース割り当てを行って、Ｄ２Ｄ  ＵＥ１０６がＤ２Ｄ発見信号を一連のＤ２Ｄ発見期間中に送信する際に使用するための無線チャネルリソースを割り当てる。様々な実施形態では、動作環境２００内でｅＮＢ１０２によって行われる割り当ては、ＵＥ固有の割り当てを含むことができ、それにより、割り当てリソースはＤ２Ｄ  ＵＥ１０６に限定して割り当てられることになる。いくつかの実施形態では、たとえば、ｅＮＢ１０２は、無線チャネルリソースをＤ２Ｄ  ＵＥ１０６に、タイプ２／２Ｂ  Ｄ２Ｄ発見モードに応じて割り当てることができる。このような実施形態では、割り当て無線チャネルリソースは、一連のタイプ２／２Ｂ発見期間のそれぞれのリソースを含むことができる。様々な実施形態では、一連のＤ２Ｄ発見期間のそれぞれに対して、ｅＮＢ１０２は、Ｄ２Ｄ  ＵＥ１０６の一部へのそれぞれのＤ２Ｄ発見信号送信のためのリソースを、そのＤ２Ｄ発見期間中に割り当てることができる。いくつかの他の実施形態では、一連のＤ２Ｄ発見期間の一部又は全部に対して、ｅＮＢ１０２は、Ｄ２Ｄ  ＵＥ１０６の一部への複数のそれぞれのＤ２Ｄ発見信号送信のために、リソースを割り当てることができる。実施形態は、この文脈に限定されない。
【００１３】
様々な実施形態では、ｅＮＢ１０２は、一連のＤ２Ｄ発見期間中のＤ２Ｄ発見信号の送信用に割り当てられた無線チャネルリソースをＤ２Ｄ  ＵＥ１０６に知らせるために、Ｄ２Ｄ構成情報２１０をＤ２Ｄ  ＵＥ１０６に送信することができる。いくつかの実施形態では、Ｄ２Ｄ構成情報２１０は、ｅＮＢ１０２がＤ２Ｄ  ＵＥ１０６に送信する無線リソース制御（ＲＲＣ）メッセージの中に含まれ得る。様々な実施形態では、Ｄ２Ｄ構成情報２１０は、一連のうちの第１のＤ２Ｄ発見期間に対する割り当て無線チャネルリソースを指定することができる。いくつかの実施形態では、Ｄ２Ｄ  ＵＥ１０６は、一連のうちの残りのＤ２Ｄ発見期間に対する割り当て無線チャネルリソースを定義された反復的割り当て方式に基づいて決定することができる。様々な実施形態では、このような反復的割り当て方式により、一連のうちの第１の期間に続く各Ｄ２Ｄ発見期間内のそれぞれの割り当てリソースは一般に、１つ又は複数の先行する期間内の割り当ての関数として決定することができる。反復的割り当て方式の簡単な例では、各Ｄ２Ｄ発見期間内の割り当てリソースは、先行するＤ２Ｄ発見期間に含まれるものと同じリソース要素を含むように定義することができる。
【００１４】
いくつかの実施形態では、ｅＮＢ１０２から受信するＤ２Ｄ構成情報２１０に基づいて、Ｄ２Ｄ  ＵＥ１０６は、それがＤ２Ｄ発見送信のために使用できる無線チャネルリソースを識別することができるとともに、それ自体が他の近傍のＤ２Ｄ  ＵＥに発見されることを可能にするために、これらの識別されたリソースの一部又は全部を使用してＤ２Ｄ発見信号２１２を送信することができる。動作環境２００の例では、Ｄ２Ｄ  ＵＥ１０８は、Ｄ２Ｄ  ＵＥ１０６が送信するＤ２Ｄ発見信号２１２をうまく受信し、その信号に基づいてＤ２Ｄ  ＵＥ１０６を発見することができる。様々な実施形態では、１つ又は複数の他のＤ２Ｄ  ＵＥもまた、Ｄ２Ｄ発見信号２１２をうまく受信し、それによってＤ２Ｄ  ＵＥ１０６を発見することができる。実施形態は、この文脈に限定されない。
【００１５】
いくつかの実施形態では、Ｄ２Ｄ発見信号を送信も受信もするＵＥの機能に対する半二重制約の影響を最小限にすること、及びＤ２Ｄ発見信号送信に伴う帯域内放射（ＩＢＥ）干渉をランダム化することなどの目標のために、リソース割り当て方式を使用することが望ましいことがあり、これにより、割り当てられたサブキャリア及び／又はサブフレームがＤ２Ｄ発見期間にわたって、また場合によってはその期間内で、変化する。このような方式が反復的であることが、Ｄ２Ｄ制御情報の送信に伴うオーバヘッドを最小限にするために望ましいこともまたある。
【００１６】
本明細書では、これらの考慮事項の点から見て様々な実施形態において実現できる、Ｄ２Ｄ発見のためのリソース割り当て技法が開示される。いくつかのこのような技法によれば、反復的リソースホッピング方式をＤ２Ｄ発見リソース割り当てに使用することができる。様々な実施形態において、リソースホッピング方式によれば、Ｄ２Ｄ発見信号の送信のためにリソースが所与のＤ２Ｄに割り当てられるサブキャリア及び／又はサブフレームは、一連のＤ２Ｄ発見期間にわたって変化し得る。いくつかのこのような実施形態では、これらのサブキャリア及び／又はサブフレーム変化は、期間固有の循環シフトによって定義することができる。様々な実施形態では、期間固有の循環シフトを適用するために必要な、かつ割り当てＤ２Ｄ発見リソースを任意の特定のＤ２Ｄ発見期間内に含むサブキャリア及び／又はサブフレームを識別するために必要な情報を、ＲＲＣシグナリングを使用してＤ２Ｄ  ＵＥに供給することができる。実施形態は、この文脈に限定されない。
【００１７】
図３は動作環境３００の一例を例示し、これは、開示されたＤ２Ｄ発見のためのリソース割り当て技法の１つ又は複数の実施態様をいくつかの実施形態において表し得る。動作環境３００において、ｅＮＢ１０２は、Ｄ２Ｄ  ＵＥがそのセル内でＤ２Ｄ発見信号を送信する際に場合によって使用するためのリソースのプールを含む、Ｄ２Ｄ発見リソースプールを定義することができる。様々な実施形態では、ｅＮＢ１０２はＤ２Ｄ  ＵＥ１０６に、適用可能な定義されたＤ２Ｄ発見リソースプールを、Ｄ２Ｄ発見リソースプール情報３１４を送信することによって知らせることができる。いくつかの実施形態では、Ｄ２Ｄ発見リソースプール情報３１４を送信する際、ｅＮＢ１０２はまた、そのセル内の他のＤ２Ｄ  ＵＥに、適用可能な定義されたＤ２Ｄ発見リソースプールを知らせることもできる。様々な実施形態では、Ｄ２Ｄ発見リソースプール情報３１４は、ｅＮＢ１０２がそのセル内にある様々な移動デバイスに送信するシステム情報ブロック（ＳＩＢ）の中に含めることがでる。いくつかのこのような実施形態では、ＳＩＢはまた、それぞれのＤ２Ｄ発見期間の持続時間を示す情報を含むこともできる。実施形態は、この文脈に限定されない。
【００１８】
様々な実施形態では、ｅＮＢ１０２は、Ｄ２Ｄ  ＵＥ１０６がＵＥ固有に使用するためのＤ２Ｄ発見リソースプールのリソースの中の特定のリソースを割り当てることができる。いくつかの実施形態では、この割り当ては、一連のＤ２Ｄ発見期間のそれぞれにおけるそれぞれのリソースの割り当てを含み得る。様々な実施形態では、たとえば、ｅＮＢ１０２はリソースをＤ２Ｄ  ＵＥ１０６に、一連のタイプ２／２Ｂ発見期間のそれぞれにおけるＤ２Ｄ発見信号送信のために、タイプ２／２Ｂ発見モードに応じて割り当てることができる。いくつかの実施形態では、この割り当ては半永続的な性質のものとすることができる。たとえば、様々な実施形態では、その割り当ては、ｅＮＢ１０２がそれを取り消すまで、Ｄ２Ｄ  ＵＥ１０６がＤ２Ｄ動作を中止するまで、又は所定の数の発見期間若しくは他の時間単位が経過するまで適用され得る。いくつかの実施形態では、ｅＮＢ１０２は、それがＤ２Ｄ発見リソースプールのリソースの中からＤ２Ｄ  ＵＥ１０６に割り当てたリソースをＤ２Ｄ  ＵＥ１０６に知らせるために、Ｄ２Ｄ発見リソース割り当て情報３１６を送信することができる。様々な実施形態では、Ｄ２Ｄ発見リソース割り当て情報３１６は、ｅＮＢ１０２がＤ２Ｄ  ＵＥ１０６に送信するＲＲＣメッセージの中に含まれ得る。実施形態は、この文脈に限定されない。
【００１９】
いくつかの実施形態では、Ｄ２Ｄ発見リソース割り当て情報３１６は、最初のＤ２Ｄ発見期間の割り当てリソースを明示的に識別する情報を含むことができ、この最初のＤ２Ｄ発見期間は、Ｄ２Ｄ  ＵＥ１０６におけるＤ２Ｄ発見リソース割り当て情報３１６の受信に続いて始まる第１のＤ２Ｄ発見期間を含み得る。様々な実施形態では、割り当てリソースは、Ｄ２Ｄ発見リソースプールの中の同じサブフレームの２つの隣接する物理的リソースブロック（ＰＲＢ）を含むことができる。いくつかの実施形態では、Ｄ２Ｄ発見リソース割り当て情報３１６は、Ｄ２Ｄ発見リソースプールの中の周波数次元におけるＰＲＢの位置を示す最初の周波数リソース指標３１８を含み得る。様々な実施形態では、Ｄ２Ｄ発見リソース割り当て情報３１６は、Ｄ２Ｄ発見リソースプールの中の時間次元においてＰＲＢによって占められているサブフレームを示す、最初の時間リソース指標３２０を含み得る。実施形態は、この文脈に限定されない。
【００２０】
いくつかの実施形態では、Ｄ２Ｄ  ＵＥ１０６は、その最初のＤ２Ｄ発見期間内の割り当てリソースを最初の周波数リソース指標３１８及び最初の時間リソース指標３２０に基づいて識別することができる。様々な実施形態では、Ｄ２Ｄ  ＵＥ１０６はまた、最初の周波数リソース指標３１８及び最初の時間リソース指標３２０を使用して、その後続のＤ２Ｄ発見期間内の割り当てリソースを、定義された反復的割り当て方式に基づいて識別することもできる。いくつかの実施形態では、反復的割り当て方式により、第１のＤ２Ｄ発見期間に続く各Ｄ２Ｄ発見期間の割り当てられた時間リソース及び／又は周波数リソースは、最初のＤ２Ｄ発見期間の割り当てられた時間リソース及び／又は周波数リソースの関数として定義することができる。様々な実施形態では、第１のＤ２Ｄ発見期間に続く各Ｄ２Ｄ発見期間の割り当てられた時間リソース及び／又は周波数リソースは、最初のＤ２Ｄ発見期間の割り当て時間リソース及び／又は周波数リソース、並びに１つ又は複数の追加パラメータの関数として定義することができる。いくつかのこのような実施形態では、期間固有の循環シフトを時間リソース及び周波数リソースの一方又は両方の割り当てと併せて実施することができ、したがって、１つ又は複数の追加パラメータはＤ２Ｄ発見期間指標を含み得る。
【００２１】
様々な実施形態では、反復的割り当て方式により、Ｄ２Ｄ発見期間ｉ中のＤ２Ｄ発見信号送信のための割り当て時間リソース及び周波数リソースは、式（１）及び（２）で示された一般関数ｆ１及びｆ２により、下記の通りに定義することができる。
【００２２】
【数１】
0006386160.tif 000002
【００２３】
ここでｎｔｉは、Ｄ２Ｄ発見期間ｉの割り当て時間リソースを一般的に示す時間リソース指標を表し、ｎｆｉは、Ｄ２Ｄ発見期間ｉの割り当て周波数リソースを一般的に示す周波数リソース指標を表し、ｎｆｉ−１は、先行するＤ２Ｄ発見期間ｉ−１の割り当て周波数リソースを一般的に示す周波数リソース指標を表し、ｎｔｉ−１は、先行するＤ２Ｄ発見期間ｉ−１の割り当て時間リソースを一般的に示す時間リソース指標を表し、Ｎｆは、サブフレーム当たりのＤ２Ｄ発見リソースの構成数を表し、Ｎｔは、Ｄ２Ｄ発見期間当たりのＤ２Ｄ発見サブフレームの構成数をＤ２Ｄ発見期間当たりのＤ２Ｄ発見信号送信の構成数で割った商を表し、ｐは、Ｄ２Ｄ発見期間ｉに対するＤ２Ｄ発見期間指標を表す。
【００２４】
式（１）及び（２）の一般関数ｆ１及びｆ２によれば、Ｄ２Ｄ発見期間指標ｐが、時間リソースと周波数リソースの両方に対する期間固有の循環シフトを実施するために使用される。しかし、いくつかの実施形態では、期間固有の循環シフトを、これら２つの次元のうちの１つだけに対して実施することもできる。様々な実施形態では、期間固有の循環シフトを時間リソースに対して実施できるが、周波数リソースに対しては実施することができない。いくつかの他の実施形態では、期間固有の循環シフトを周波数リソースに対して実施できるが、時間リソースに対しては実施することができない。様々な実施形態では、たとえば、Ｄ２Ｄ発見期間ｉ中のＤ２Ｄ発見信号送信のための割り当て時間リソース及び周波数リソースは、式（３）及び（４）により、下記の通りに定義することができる。
【００２５】
【数２】
0006386160.tif 000003
【００２６】
ここで、ｍｏｄはモジュロ演算を表し、
（外１）
0006386160.tif 000004
はＸより大きくない最大整数を表す。
【００２７】
いくつかの実施形態では、期間固有の循環シフトもセル固有の循環シフトも、時間リソース若しくは周波数リソース、又は両方に対して実施することができる。様々な実施形態では、たとえば、Ｄ２Ｄ発見期間ｉ中のＤ２Ｄ発見信号送信のための割り当て時間リソース及び周波数リソースは、式（５）、（６）、及び（７）により、下記の通りに定義することができる。
【００２８】
【数３】
0006386160.tif 000005
【００２９】
ここで、ｊはＮｔｊ＜Ｎｆとなる最大整数であり、
（外２）
0006386160.tif 000006
であり、ここでｍは、ｃとＮｆが互いに素になるような整数である。
【００３０】
別の例では、いくつかの実施形態では、Ｄ２Ｄ発見期間ｉ中のＤ２Ｄ発見信号送信のための割り当て時間リソース及び周波数リソースは、式（８）及び（９）により、下記の通りに定義することができる。
【００３１】
【数４】
0006386160.tif 000007
【００３２】
ここで、ｔ＿ｓｈｉｆｔは時間次元におけるセル固有の循環シフトを表し、ｆ＿ｓｈｉｆｔは周波数次元におけるセル固有の循環シフトを表す。様々な実施形態では、ｔ＿ｓｈｉｆｔ及び／又はｆ＿ｓｈｉｆｔは、物理的又は仮想のセル識別子（ＩＤ）に基づく循環シフトを含み得る。たとえば、いくつかの実施形態では、ｔ＿ｓｈｉｆｔ及びｆ＿ｓｈｉｆｔは、式（１０）及び（１１）により、下記の通りに定義することができる。
【００３３】
【数５】
0006386160.tif 000008
【００３４】
ここで、
（外３）
0006386160.tif 000009
は物理的又は仮想のセルＩＤを表す。
【００３５】
様々な実施形態では、ｅＮＢ１０２は、Ｄ２Ｄ  ＵＥ１０６がその割り当てＤ２Ｄ発見送信リソースを、期間固有の循環シフトを実施する反復的割り当て方式により識別できるようにするために、Ｄ２Ｄ発見期間指標３２２をＤ２Ｄ  ＵＥ１０６に送信するように動作可能であり得る。いくつかの実施形態では、ｅＮＢ１０２は、専用ＲＲＣシグナリングを使用してＤ２Ｄ発見期間指標３２２をＤ２Ｄ  ＵＥ１０６に送信することができる。様々な実施形態では、たとえば、ｅＮＢ１０２は、ＲＲＣメッセージをＤ２Ｄ  ＵＥ１０６にＤ２Ｄ構成情報を含めて送信することができる。このＤ２Ｄ構成情報は、最初の周波数リソース指標３１８、最初の時間リソース指標３２０、及びＤ２Ｄ発見期間指標３２２を含む。いくつかの他の実施形態では、ｅＮＢ１０２はＤ２Ｄ発見期間指標３２２を、タイプ２／２Ｂ  Ｄ２Ｄ発見リソース割り当て機構の一部としてのレイヤ１シグナリングによって送信することができる。たとえば、様々な実施形態では、ｅＮＢ１０２は、Ｄ２Ｄ発見期間指標３２２を、ｅＮＢ１０２がＤ２Ｄ  ＵＥ１０６へ送信してタイプ２／２Ｂリソース割り当ての活性化を示す、ダウンリンク制御情報（ＤＣＩ）の中に含むことができる。いくつかのこのような実施形態では、最初の周波数リソース指標３１８及び最初の時間リソース指標３２０、並びに関連する構成情報は、Ｄ２Ｄ  ＵＥ１０６へ専用ＲＲＣシグナリングによって送信することができ、すぐ次に生じるタイプ２／２Ｂ  Ｄ２Ｄ発見期間の識別情報は、レイヤ１シグナリングによる動的活性化と併せて示すことができる。様々な実施形態では、この手法は、半永続的スケジューリング（ＳＰＳ）活性化／非活性化と同様の機構に追随して、又はＤＣＩフォーマット３及び／若しくは３Ａを使用するグループ化スケジューリングの一部として、実現することができる。実施形態は、この文脈に限定されない。
【００３６】
いくつかの実施形態では、Ｄ２Ｄ発見期間指標ｐは、これをＤ２Ｄ  ＵＥ１０６などのＤ２Ｄ  ＵＥが自律的に決定できるように定義することができる。様々な実施形態では、たとえば、Ｄ２Ｄ発見期間指標ｐは、ＬＴＥシステムフレーム番号（ＳＦＮ）の関数として定義することができる。一例では、Ｄ２Ｄ発見期間に対するＤ２Ｄ発見期間指標ｐは、式（１２）に示された一般関数ｆＡにより、下記の通りに定義することができる。
【００３７】
【数６】
0006386160.tif 000010
【００３８】
ここで、ＳＦＮは、Ｄ２Ｄ発見期間内のタイプ２／２Ｂ  Ｄ２Ｄ発見プールの第１のサブフレーム（若しくはスロット）又は現在のサブフレーム（若しくはスロット）に対応するＬＴＥ  ＳＦＮを表す。いくつかの実施形態におけるｆＡの例示的な実施態様は式（１３）において、下記の通りに示される。
【００３９】
【数７】
0006386160.tif 000011
【００４０】
ここで、Ｄ２Ｄ発見期間指標ｐは、値｛０，１，．．．，ｐｍａｘ−１｝の組の中で循環的に繰り返し、したがってｐｍａｘは、Ｄ２Ｄ発見期間指標の可能値の総数を表す。
【００４１】
様々な実施形態では、Ｄ２Ｄ発見期間指標ｐは、ＬＴＥ  ＳＦＮと、各発見期間内のタイプ２／２Ｂリソースプールの第１のサブフレームに対応するサブフレーム番号との関数として定義することができる。一例では、Ｄ２Ｄ発見期間に対するＤ２Ｄ発見期間指標ｐは、式（１４）に示された一般関数ｆＢにより、下記の通りに定義することができる。
【００４２】
【数８】
0006386160.tif 000012
【００４３】
ここで、ｎＳｆは、Ｄ２Ｄ発見期間内のタイプ２／２Ｂ  Ｄ２Ｄ発見プールの第１のサブフレームに対応するサブフレーム番号を表す。いくつかの実施形態におけるｆＢの例示的な実施態様は式（１５）に、下記の通りに示される。
【００４４】
【数９】
0006386160.tif 000013
【００４５】
様々な実施形態では、ＬＴＥ  ＳＦＮは、値｛０，１，．．．，１０２３｝の組の中で循環的に繰り返して、１０．２４秒の絶対時間スケールに対応することができる。実施形態は、この文脈に限定されない。
【００４６】
上記のように、いくつかの実施形態では、Ｄ２Ｄ発見期間指標ｐは、値｛０，１，．．．，ｐｍａｘ−１｝の組の中で循環的に繰り返すことができる。様々な実施形態では、たとえば、ｐｍａｘは１０に等しくなるように定義することができ、したがってＤ２Ｄ発見期間指標ｐは、値｛０，１，．．．，９｝の組の中で循環的に繰り返すことができる。いくつかの実施形態では、Ｄ２Ｄ発見期間指標ｐは、連続するＤ２Ｄ発見期間ごとにｐｍａｘ−１に達するまでインクリメントすることができ、その後０にリセットすることができる。たとえば、ｐｍａｘが１０に等しい様々な実施形態では、Ｄ２Ｄ発見期間指標ｐは、値０から９まで、一連の１０個のタイプ２／２Ｂ  Ｄ２Ｄ発見期間にわたって進み、次に、１１番目のタイプ２／２Ｂ  Ｄ２Ｄ発見期間に０の値に戻ることができる。実施形態は、この文脈に限定されない。
【００４７】
いくつかの実施形態では、Ｄ２Ｄ発見期間指標ｐの値は、ランダム又は擬似ランダムに許容値｛０，１，．．．，ｐｍａｘ−１｝の範囲の中から選択することができる。様々な実施形態では、たとえば、Ｄ２Ｄ発見期間指標ｐの値は、３ＧＰＰ  ＴＳ  ３６．２１１  ｖ１２．２．０（２０１４年７月３日公開）に定義されている義務的なＧｏｌｄ系列を使用して決定することができる。たとえば、Ｄ２Ｄ発見期間に対するＤ２Ｄ発見期間指標ｐは、式（１６）及び（１７）に示された一般関数ｆｃ及びｆＤにより、下記の通りに定義することができる。
【００４８】
【数１０】
0006386160.tif 000014
【００４９】
ここで、ｎは時間指標を表し、Ａは、セル無線ネットワーク仮識別子（Ｃ−ＲＮＴＩ）若しくは他のＵＥ識別子（ＩＤ）、物理的セルＩＤ、又は仮想セルＩＤなどの、上位層シグナリングによって構成される値を表す。いくつかの実施形態では、ｎは式（１８）により、下記の通りに定義することができる。
【００５０】
【数１１】
0006386160.tif 000015
【００５１】
様々な他の実施形態では、ｎは送信カウンタを含むことができる。いくつかの実施形態における例示的なｆｃの実施態様は、式（１９）に下記の通りに示される。
【００５２】
【数１２】
0006386160.tif 000016
【００５３】
実施形態は、この例に限定されない。
【００５４】
様々な実施形態では、ｅＮＢ１０２は、Ｄ２Ｄ  ＵＥ１０６のＤ２Ｄ発見送信のためのリソースを、セル固有の循環シフトを特徴とする割り当て方式により割り当てることができる。いくつかの実施形態では、このようなセル固有の循環シフトは、時間次元若しくは周波数次元、又は両方に対して適用され得る。様々な実施形態では、セル固有の循環シフトは、ｅＮＢ１０２に付随する物理的セルＩＤ又は仮想セルＩＤの関数として決定することができる。いくつかの他の実施形態では、セル固有の循環シフトは、単独で構成可能なセル固有のオフセットパラメータ３２４によって実施することができ、このパラメータは、ｅＮＢ１０２がその近辺のセル全体にわたるＤ２Ｄリソース割り当てに関して達成可能な再使用度を実質的に最大にするように選択することができる。様々な実施形態では、ｅＮＢ１０２は、セル固有のオフセットパラメータ３２４をＤ２Ｄ  ＵＥ１０６へＲＲＣシグナリングによって送信することができる。いくつかのこのような実施形態では、ｅＮＢ１０２は、セル固有のオフセットパラメータ３２４を同じＲＲＣメッセージの中に、最初の周波数リソース指標３１８、最初の時間リソース指標３２０、及びＤ２Ｄ発見期間指標３２２を含むものとして有することができる。実施形態は、この文脈に限定されない。
【００５５】
様々な実施形態では、Ｄ２Ｄ発見信号送信を開始する前に、Ｄ２Ｄ  ＵＥ１０６は、Ｄ２Ｄ発見リソースプール情報３１４及びＤ２Ｄ発見リソース割り当て情報３１６をｅＮＢ１０２から受信することができる。いくつかの実施形態では、Ｄ２Ｄ  ＵＥ１０６は、Ｄ２Ｄ発見リソースプールをＤ２Ｄ発見リソースプール情報３１４に基づいて識別することができる。様々な実施形態では、Ｄ２Ｄ発見リソースプールの中から、Ｄ２Ｄ  ＵＥ１０６は次に、Ｄ２Ｄ発見信号送信のための割り当てリソースを第１のＤ２Ｄ発見期間中に識別することができる。いくつかの実施形態では、Ｄ２Ｄ  ＵＥ１０６は、第１のＤ２Ｄ発見期間に対する割り当てリソースを最初の周波数リソース指標３１８及び最初の時間リソース指標３２０に基づいて識別することができる。様々な実施形態では、Ｄ２Ｄ  ＵＥ１０６は次に、Ｄ２Ｄ発見信号３２６を第１のＤ２Ｄ発見期間中に、第１のＤ２Ｄ発見期間に対する割り当てリソースを使用して送信することができる。
【００５６】
いくつかの実施形態では、受信されたＤ２Ｄ発見リソース割り当て情報３１６は、第１のＤ２Ｄ発見期間に対するＤ２Ｄ発見期間指標３２２を含むことができる。様々なこのような実施形態では、Ｄ２Ｄ  ＵＥ１０６は、次のＤ２Ｄ発見期間に対する次のＤ２Ｄ発見期間指標３２８をＤ２Ｄ発見期間指標３２２に基づいて識別することができる。いくつかの実施形態では、Ｄ２Ｄ  ＵＥ１０６は、Ｄ２Ｄ発見信号送信のための割り当てリソースを次のＤ２Ｄ発見期間中に識別する際に使用するために、次の周波数リソース指標３３０及び次の時間リソース指標３３２を決定することができる。様々な実施形態では、Ｄ２Ｄ  ＵＥ１０６は、次の周波数リソース指標３３０及び次の時間リソース指標３３２を、最初の周波数リソース指標３１８及び最初の時間リソース指標３２０に少なくとも部分的に基づいて決定することができる。いくつかの実施形態では、周波数次元及び／又は時間次元に関する期間固有の循環シフトの実施と併せて、Ｄ２Ｄ  ＵＥ１０６は、次の周波数リソース指標３３０及び次の時間リソース指標３３２の一方又は両方を、Ｄ２Ｄ発見期間指標３２８にさらに基づいて決定することができる。様々な実施形態では、たとえば、Ｄ２Ｄ  ＵＥ１０６は、次のＤ２Ｄ発見期間に対する次の周波数リソース指標３３０を、最初の周波数リソース指標３１８、最初の時間リソース指標３２０、及び次のＤ２Ｄ発見期間指標３２８に基づいて決定することができる。いくつかの実施形態では、Ｄ２Ｄ  ＵＥ１０６は、次のＤ２Ｄ発見期間に対する割り当てリソースを、次の周波数リソース指標３３０及び次の時間リソース指標３３２に基づいて識別することができる。様々な実施形態では、Ｄ２Ｄ  ＵＥ１０６は次に、Ｄ２Ｄ発見信号３３４を次のＤ２Ｄ発見期間中に、次のＤ２Ｄ発見期間に対する割り当てリソースを使用して送信することができる。実施形態は、この文脈に限定されない。
【００５７】
上記の実施形態の動作は、下記の図及び添付の例を参照して更に説明することができる。図のいくつかは論理フローを含み得る。本明細書に提示されるこのような図は特定の論理フローを含み得るが、その論理フローは単に、本明細書に記載の一般的な機能をどのように実現できるかの一例を提供するにすぎないことが理解できよう。さらに、所与の論理フローは、特に指示がない限り必ずしも提示された順序で実行されなくてよい。加えて、所与の論理フローは、ハードウェア要素、プロセッサによって実行されるソフトウェア要素、又はこれらの任意の組合せによって実施することができる。実施形態は、この文脈に限定されない。
【００５８】
図４は、論理フロー４００の一実施形態を例示する。この論理フローは、Ｄ２Ｄ発見のための開示されたリソース割り当て技法のうちの１つ又は複数の実施態様をいくつかの実施形態において表し得る。たとえば、論理フロー４００は、様々な実施形態でＤ２Ｄ  ＵＥ１０６によって図３の動作環境３００において行うことができる動作を表し得る。図４に示されるように、４０２で、デバイスツーデバイス（Ｄ２Ｄ）構成情報を受信することができ、この構成情報は、第１のＤ２Ｄ発見期間に対するＤ２Ｄ発見期間指標値と、第１のＤ２Ｄ発見期間に対するＤ２Ｄ発見リソース割り当てを示すＤ２Ｄ発見リソース割り当てパラメータの第１の組とを含む。たとえば、図３のＤ２Ｄ  ＵＥ１０６は、Ｄ２Ｄ発見リソース割り当て情報３１６をｅＮＢ１０２から受信することができ、Ｄ２Ｄ発見リソース割り当て情報３１６は、最初の周波数リソース指標３１８、最初の時間リソース指標３２０、及びＤ２Ｄ発見期間指標３２２を含むことができる。４０４で、第１のＤ２Ｄ発見信号を第１のＤ２Ｄ発見期間中に、第１のＤ２Ｄ発見期間に対するＤ２Ｄ発見リソース割り当てを使用して送信することができる。たとえば、図３のＤ２Ｄ  ＵＥ１０６は、Ｄ２Ｄ発見信号３２６を第１のＤ２Ｄ発見期間中に、そのＤ２Ｄ発見期間に対するＤ２Ｄ発見リソース割り当てを使用して送信することができる。
【００５９】
４０６で、第２のＤ２Ｄ発見期間に対するＤ２Ｄ発見期間指標値を、第１のＤ２Ｄ発見期間に対するＤ２Ｄ発見期間指標値に基づいて決定することができる。たとえば、図３のＤ２Ｄ  ＵＥ１０６は、次のＤ２Ｄ発見期間指標３２８をＤ２Ｄ発見期間指標３２２に基づいて決定することができる。４０８で、Ｄ２Ｄ発見リソース割り当てパラメータの第２の組を、Ｄ２Ｄ発見リソース割り当てパラメータの第１の組、及び第２のＤ２Ｄ発見期間に対するＤ２Ｄ発見期間指標値に基づいて決定することができ、ここで、Ｄ２Ｄ発見リソース割り当てパラメータの第２の組は、第２のＤ２Ｄ発見期間に対するＤ２Ｄ発見リソース割り当てを示す。たとえば、図３のＤ２Ｄ  ＵＥ１０６は、次の周波数リソース指標３３０及び次の時間リソース指標３３２を含むＤ２Ｄ発見リソース割り当てパラメータの組を、Ｄ２Ｄ発見リソース割り当て情報３１６に含まれるＤ２Ｄ発見リソース割り当てパラメータの第１の組、及び次のＤ２Ｄ発見期間指標３２８に基づいて決定することができる。４１０で、第２のＤ２Ｄ発見信号を第２のＤ２Ｄ発見期間中に、第２のＤ２Ｄ発見期間に対するＤ２Ｄ発見リソース割り当てを使用して送信することができる。たとえば、図３のＤ２Ｄ  ＵＥ１０６は、Ｄ２Ｄ発見信号３３４を次のＤ２Ｄ発見期間中に、次の周波数リソース指標３３０及び次の時間リソース指標３３２によって示されたＤ２Ｄ発見リソース割り当てを使用して送信することができる。実施形態は、これらの例に限定されない。
【００６０】
図５は、論理フロー５００の一実施形態を例示する。この論理フローは、Ｄ２Ｄ発見のための開示されたリソース割り当て技法のうちの１つ又は複数の実施態様をいくつかの実施形態において表し得る。たとえば、論理フロー５００は、様々な実施形態でＤ２Ｄ  ＵＥ１０６によって図３の動作環境３００において行うことができる動作を表し得る。図５に示されるように、５０２で、第１の時間リソース指標と、第１の周波数リソース指標と、第１のＤ２Ｄ発見期間に対応するＤ２Ｄ発見期間指標値とを含むＲＲＣメッセージを受信することができる。たとえば、図３のＤ２Ｄ  ＵＥ１０６は、Ｄ２Ｄ発見リソース割り当て情報３１６を含むＲＲＣメッセージを受信することができ、Ｄ２Ｄ発見リソース割り当て情報３１６は、最初の周波数リソース指標３１８と、最初の時間リソース指標３２０と、第１のＤ２Ｄ発見期間に対応する値を含むＤ２Ｄ発見期間指標３２２とを含むことができる。５０４で、１つ又は複数のＤ２Ｄ発見信号を第１のＤ２Ｄ発見期間中に、第１の時間リソース指標及び第１の周波数リソース指標に基づいて識別されたＤ２Ｄ発見リソースを使用して送信することができる。たとえば、図３のＤ２Ｄ  ＵＥ１０６は、１つ又は複数のＤ２Ｄ発見信号３２６を、最初の周波数リソース指標３１８及び最初の時間リソース指標３２０に基づいて識別されたＤ２Ｄ発見リソースを使用して送信することができる。５０６で、第２の時間リソース指標を第１の時間リソース指標及び第１の周波数リソース指標に基づいて決定することができる。たとえば、図３のＤ２Ｄ  ＵＥ１０６は、次の時間リソース指標３３２を最初の周波数リソース指標３１８及び最初の時間リソース指標３２０に基づいて決定することができる。
【００６１】
５０８で、第２の周波数リソース指標を、第１の時間リソース指標、第１の周波数リソース指標、及び第２のＤ２Ｄ発見期間に対応するＤ２Ｄ発見期間指標値に基づいて決定することができる。たとえば、図３のＤ２Ｄ  ＵＥ１０６は、次の周波数リソース指標３３０を、最初の周波数リソース指標３１８、最初の時間リソース指標３２０、及び次のＤ２Ｄ発見期間指標３２８に基づいて決定することができる。５１０で、第２のＤ２Ｄ発見期間のＤ２Ｄ発見リソースを、第２の時間リソース指標及び第２の周波数リソース指標に基づいて識別することができる。たとえば、図３のＤ２Ｄ  ＵＥ１０６は、次のＤ２Ｄ発見期間のＤ２Ｄ発見リソースを次の周波数リソース指標３３０及び次の時間リソース指標３３２に基づいて識別することができる。５１２で、１つ又は複数のＤ２Ｄ発見信号を第２のＤ２Ｄ発見期間中に、第２のＤ２Ｄ発見期間の識別されたＤ２Ｄ発見リソースを使用して送信することができる。たとえば、図３のＤ２Ｄ  ＵＥ１０６は、１つ又は複数のＤ２Ｄ発見信号３３４を次のＤ２Ｄ発見期間中に、次の周波数リソース指標３３０及び次の時間リソース指標３３２に基づいて識別されたＤ２Ｄ発見リソースを使用して送信することができる。実施形態は、これらの例に限定されない。
【００６２】
図６は、論理フロー６００の一実施形態を例示する。この論理フローは、Ｄ２Ｄ発見のための開示されたリソース割り当て技法のうちの１つ又は複数の実施態様をいくつかの実施形態において表し得る。たとえば、論理フロー６００は、様々な実施形態でＤ２Ｄ  ＵＥ１０６によって図３の動作環境３００において行うことができる動作を表し得る。図６に示されるように、６０２で、第１の時間リソース指標及び第１の周波数リソース指標を指定するＤ２Ｄ発見構成情報を含むＲＲＣメッセージを受信することができる。たとえば、図３のＤ２Ｄ  ＵＥ１０６は、最初の周波数リソース指標３１８及び最初の時間リソース指標３２０を有するＤ２Ｄ発見構成情報を含む、ＲＲＣメッセージを受信することができる。６０４で、第１の時間リソース指標及び第１の周波数リソース指標に基づいて、第１のＤ２Ｄ発見期間に対するＤ２Ｄ発見リソースプールに含まれるＤ２Ｄ発見リソースの組を含む第１のＵＥ固有のリソース割り当てを決定することができる。たとえば、最初の周波数リソース指標３１８及び最初の時間リソース指標３２０に基づいて、図３のＤ２Ｄ  ＵＥ１０６は、第１のＵＥ固有のリソース割り当てを決定することができ、この第１のＵＥ固有のリソース割り当ては、第１のＤ２Ｄ発見期間に対するＤ２Ｄ発見リソースプールに含まれるＤ２Ｄ発見リソースの組を含む。６０６で、Ｄ２Ｄ発見信号を第１のＤ２Ｄ発見期間中に、第１のＵＥ固有のリソース割り当てを使用して送信することができる。たとえば、図３のＤ２Ｄ  ＵＥ１０６は、Ｄ２Ｄ発見信号３２６を第１のＤ２Ｄ発見期間中に、最初の周波数リソース指標３１８及び最初の時間リソース指標３２０に基づいて決定された第１のＵＥ固有のリソース割り当てを使用して送信することができる。
【００６３】
６０８で、第１のＵＥ固有のリソース割り当て、及び第２のＤ２Ｄ発見期間に対するＤ２Ｄ発見期間指標値に基づいて、第２のＤ２Ｄ発見期間に対するＤ２Ｄ発見リソースプールに含まれるＤ２Ｄ発見リソースの組を含む第２のＵＥ固有のリソース割り当てを決定することができる。たとえば、第１のＤ２Ｄ発見期間に対する第１のＵＥ固有のリソース割り当て、及び次のＤ２Ｄ発見期間に対する次のＤ２Ｄ発見期間指標３２８の値に基づいて、図３のＤ２Ｄ  ＵＥ１０６は、次の周波数リソース指標３３０及び次の時間リソース指標３３２を決定することができ、これらは、次のＤ２Ｄ発見期間に対するＤ２Ｄ発見リソースプールに含まれるＤ２Ｄ発見リソースの組を含む、次のＵＥ固有のリソース割り当てを定義することができる。６１０で、Ｄ２Ｄ発見信号を第２のＤ２Ｄ発見期間中に、第２のＵＥ固有のリソース割り当てを使用して送信することができる。たとえば、図３のＤ２Ｄ  ＵＥ１０６は、Ｄ２Ｄ発見信号３３４を次のＤ２Ｄ発見期間中に、６０８で決定された次のＵＥ固有のリソース割り当てを使用して送信することができる。実施形態は、これらの例に限定されない。
【００６４】
図７は、記憶媒体７００の一実施形態を例示する。記憶媒体７００は、光記憶媒体、磁気記憶媒体又は半導体記憶媒体などの任意の非一時的なコンピュータ可読記憶媒体又は機械可読記憶媒体を含み得る。様々な実施形態では、記憶媒体７００は製造物を含み得る。いくつかの実施形態では、記憶媒体７００は、図４の論理フロー４００、図５の論理フロー５００、及び図６の論理フロー６００のうちの１つ以上を実施するためのコンピュータ実行可能命令など、コンピュータ実行可能命令を記憶することができる。コンピュータ可読記憶媒体又は機械可読記憶媒体の例には、揮発性メモリ又は不揮発性メモリ、取外し可能又は取外し不可能メモリ、消去可能又は消去不可能メモリ、書込み可能又は再書込み可能メモリなどを含む、電子的データを記憶できる任意の有形の媒体が含まれ得る。コンピュータ実行可能命令の例には、ソースコード、コンパイルコード、インタプリタコード、実行可能コード、静的コード、動的コード、オブジェクト指向コード、視覚コードなどの適切な任意の種類のコードが含まれ得る。実施形態は、この文脈に限定されない。
【００６５】
図８は、通信デバイス８００の一実施形態を例示し、この通信デバイスは、図３のｅＮＢ１０２及びＤ２Ｄ  ＵＥ１０６、図４の論理フロー４００、図５の論理フロー５００、図６の論理フロー６００、並びに図７の記憶媒体７００のうちの１つ以上を実施することができる。様々な実施形態では、デバイス８００は論理回路８２８を備えることができる。論理回路８２８は、たとえば、図３のｅＮＢ１０２及びＤ２Ｄ  ＵＥ１０６、図４の論理フロー４００、図５の論理フロー５００、及び図６の論理フロー６００のうちの１つ以上について説明された動作を行うための物理的な回路を含むことができる。図８に示されるように、デバイス８００は、無線インターフェース８１０、ベースバンド回路８２０、及び計算プラットフォーム８３０を含むことができるが、実施形態はこの構成に限定されない。
【００６６】
デバイス８００は、図３のｅＮＢ１０２及びＤ２Ｄ  ＵＥ１０６、図４の論理フロー４００、図５の論理フロー５００、図６の論理フロー６００、図７の記憶媒体７００、並びに論理回路８２８のうちの１つ以上の構造及び／又は動作の一部若しくは全部を、単一の計算エンティティ内で、完全に単一のデバイス内のように実施することができる。或いは、デバイス８００は、図３のｅＮＢ１０２及びＤ２Ｄ  ＵＥ１０６、図４の論理フロー４００、図５の論理フロー５００、図６の論理フロー６００、図７の記憶媒体７００、並びに論理回路８２８のうちの１つ以上の構造及び／又は動作の一部分を、複数の計算エンティティにわたって、クライアントサーバアーキテクチャ、３層アーキテクチャ、Ｎ層アーキテクチャ、密結合又はクラスタ化アーキテクチャ、ピアツーピアアーキテクチャ、マスタスレーブアーキテクチャ、共有データベースアーキテクチャなどの分散システムアーキテクチャ、及び他の種類の分散システムを使用して分散することができる。実施形態は、この文脈に限定されない。
【００６７】
１つの実施形態では、無線インターフェース８１０は、シングルキャリア若しくはマルチキャリア変調信号（たとえば、相補型符号変調（ＣＣＫ）、直交周波数分割多重（ＯＦＤＭ）、及び／又はシングルキャリア周波数分割多重アクセス（ＳＣ−ＦＤＭＡ）シンボルを含む）を送信及び／又は受信するように適応されたコンポーネント若しくはコンポーネントの組合せを含み得るが、実施形態は、いかなる特定の無線によるインターフェース又は変調方式にも限定されない。無線インターフェース８１０は、たとえば、受信器８１２、周波数シンセサイザ８１４、及び／又は送信器８１６を含み得る。無線インターフェース８１０は、バイアス制御部、水晶発振器、及び／又は１つ若しくは複数のアンテナ８１８−ｆを含み得る。別の実施形態では、無線インターフェース８１０は、外部の電圧制御発振器（ＶＣＯ）、表面弾性波フィルタ、中間周波数（ＩＦ）フィルタ及び／又はＲＦフィルタを要望に応じ使用することができる。可能なＲＦインターフェース設計が多様であるので、これについての広範囲の説明は省略する。
【００６８】
ベースバンド回路８２０は、無線インターフェース８１０と通信して受信信号及び／又は送信信号を処理することができ、また、たとえば、受信信号をダウンコンバートするアナログ／デジタル変換器８２２、送信のために信号をアップコンバートするデジタル／アナログ変換器８２４を含み得る。さらに、ベースバンド回路８２０は、ベースバンド又は物理層（ＰＨＹ）処理回路８２６を、それぞれの受信信号／送信信号のＰＨＹリンク層処理のために含み得る。ベースバンド回路８２０は、たとえば、媒体アクセス制御（ＭＡＣ）処理回路８２７を、ＭＡＣ／データリンク層処理のために含み得る。ベースバンド回路８２０は、メモリコントローラ８３２を、たとえば、１つ若しくは複数のインターフェース８３４を介してＭＡＣ処理回路８２７及び／又は計算プラットフォーム８３０と通信するために含み得る。
【００６９】
いくつかの実施形態では、ＰＨＹ処理回路８２６は、フレーム構築及び／又は検出モジュールを、バッファメモリなどの追加回路と併せて、通信フレームを構築及び／又は分解するために含み得る。別法として、又は加えて、ＭＡＣ処理回路８２７は、これらの機能のいくつかの処理を共有すること、又はこれらの処理をＰＨＹ処理回路８２６とは別個に行うこともできる。いくつかの実施形態では、ＭＡＣ処理とＰＨＹ処理を単一の回路に取り込むことができる。
【００７０】
計算プラットフォーム８３０は、デバイス８００に計算機能を提供することができる。図示のように、計算プラットフォーム８３０は処理コンポーネント８４０を含み得る。ベースバンド回路８２０に加えて、又はその別法として、デバイス８００は、図３のｅＮＢ１０２及びＤ２Ｄ  ＵＥ１０６、図４の論理フロー４００、図５の論理フロー５００、図６の論理フロー６００、図７の記憶媒体７００、並びに論理回路８２８のうちの１つ以上の処理動作又は論理を、処理コンポーネント８４０を使用して実行することができる。処理コンポーネント８４０（及び／又はＰＨＹ８２６及び／又はＭＡＣ８２７）は、様々なハードウェア要素、ソフトウェア要素、又は双方の組合せを含み得る。ハードウェア要素の例には、デバイス、論理デバイス、コンポーネント、プロセッサ、マイクロプロセッサ、回路、プロセッサ回路、回路要素（たとえば、トランジスタ、抵抗、キャパシタ、インダクタなど）、集積回路、特定用途向け集積回路（ＡＳＩＣ）、プログラム可能論理デバイス（ＰＬＤ）、デジタル信号プロセッサ（ＤＳＰ）、フィールドプログラマブルゲートアレイ（ＦＰＧＡ）、メモリユニット、論理ゲート、レジスタ、半導体デバイス、チップ、マイクロチップ、チップセットなどが含まれ得る。ソフトウェア要素の例には、ソフトウェアコンポーネント、プログラム、アプリケーション、コンピュータプログラム、アプリケーションプログラム、システムプログラム、ソフトウェア開発プログラム、機械プログラム、オペレーティングシステムソフトウェア、ミドルウェア、ファームウェア、ソフトウェアモジュール、ルーチン、サブルーチン、関数、方法、手順、ソフトウェアインターフェース、アプリケーションプログラムインターフェース（ＡＰＩ）、命令セット、計算コード、コンピュータコード、コードセグメント、コンピュータコードセグメント、語、値、記号、又はこれらの任意の組合せが含まれ得る。ある実施形態がハードウェア要素及び／又はソフトウェア要素を使用して実現されるかどうかの判断は、所望の計算速度、電力レベル、耐熱性、処理サイクルバジェット、入力データ転送速度、出力データ転送速度、メモリ資源、データバス速度、及び他の設計制約又は性能制約などの任意の数の要因により、所与の実施態様に対する要望に応じて、異なり得る。
【００７１】
計算プラットフォーム８３０は、別のプラットフォームコンポーネント８５０を更に含むことができる。別のプラットフォームコンポーネント８５０は、１つ又は複数のプロセッサ、マルチコアプロセッサ、コプロセッサ、メモリユニット、チップセット、コントローラ、周辺装置、インターフェース、発振器、タイミングデバイス、ビデオカード、オーディオカード、マルチメディア入力／出力（Ｉ／Ｏ）コンポーネント（たとえば、デジタル表示装置）、電源などの、一般的な計算要素を含む。メモリユニットの例には、それだけには限らないが、読み出し専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリなどのポリマーメモリ、オボニックメモリ、位相変化又は強誘電性メモリ、シリコン酸化膜窒化酸化膜シリコン（ＳＯＮＯＳ）メモリ、磁気カード又は光カード、リダンダントアレイオブインデペンデントディスク（ＲＡＩＤ）ドライブなどのデバイスのアレイ、固体メモリデバイス（たとえば、ＵＳＢメモリ、固体ドライブ（ＳＳＤ））、及び情報を記憶するのに適している他の任意の種類の記憶媒体などの、様々な種類のコンピュータ可読及び機械可読記憶媒体が１つ又は複数の高速メモリユニットの形で含まれ得る。
【００７２】
デバイス８００は、たとえば、ウルトラモバイルデバイス、モバイルデバイス、固定デバイス、マシンツーマシン（Ｍ２Ｍ）デバイス、携帯情報端末（ＰＤＡ）、モバイル計算デバイス、スマートフォン、電話、デジタル電話、セルラー電話、ユーザ機器、電子書籍リーダ、ハンドセット、一方向ページャ、二方向ページャ、メッセージングデバイス、コンピュータ、パーソナルコンピュータ（ＰＣ）、デスクトップコンピュータ、ラップトップコンピュータ、ノートブックコンピュータ、ネットブックコンピュータ、手持ち型コンピュータ、タブレットコンピュータ、サーバ、サーバアレイ又はサーバファーム、ウェブサーバ、ネットワークサーバ、インターネットサーバ、ワークステーション、ミニコンピュータ、メインフレームコンピュータ、スーパーコンピュータ、ネットワーク機器、ウェブ機器、分散型計算システム、マルチプロセッサシステム、プロセッサベースシステム、消費者電子機器、プログラム可能消費者電子機器、ゲームデバイス、表示装置、テレビジョン、デジタルテレビジョン、セットトップボックス、無線アクセスポイント、基地局、ノードＢ、加入者ステーション、モバイル加入者センタ、無線ネットワークコントローラ、ルータ、ハブ、ゲートウェイ、ブリッジ、スイッチ、機械、又はこれらの組合せとすることができる。したがって、本明細書に記載されたデバイス８００の機能及び／又は特定の構成は、デバイス８００の様々な実施形態において、適宜に要望に応じて、含まれても省略されてもよい。
【００７３】
デバイス８００の実施形態は、単入力単出力（ＳＩＳＯ）アーキテクチャを使用して実現することができる。しかし、特定の実施態様は、送信及び／又は受信用の複数のアンテナ（たとえば、アンテナ８１８−ｆ）を、ビーム形成若しくは空間分割多元接続（ＳＤＭＡ）のための適応型アンテナ技法を使用して、及び／又はＭＩＭＯ通信技法を使用して、含み得る。
【００７４】
デバイス８００のコンポーネント及び機能は、ディスクリート回路、特定用途向け集積回路（ＡＳＩＣ）、論理ゲート及び／又は単一チップアーキテクチャの任意の組合せを使用して実現することができる。さらに、デバイス８００の機能は、マイクロコントローラ、プログラム可能論理アレイ及び／若しくはマイクロプロセッサ、又は上記の任意の組合せを、適宜に適切な場合に使用して、実現することができる。ハードウェア、ファームウェア及び／若しくはソフトウェア要素は、本明細書では一括して、又は個別に「論理回路」又は「回路」と呼ばれる場合があることに留意されたい。
【００７５】
図８のブロック図に示された例示的なデバイス８００は、多くの可能な実施態様のうちの１つの機能的に描写している例を表し得ることを理解されたい。したがって、添付の図に描写されたブロック機能を分割、省略又は包含することは、これらの機能を実現するためのハードウェアコンポーネント、回路、ソフトウェア及び／又は要素が、実施形態において必然的に分割、省略、又は包含されることを意味しない。
【００７６】
図９は、広帯域無線アクセスシステム９００の実施形態を例示する。図９に示されるように、広帯域無線アクセスシステム９００は、インターネット９１０型のネットワークなどを含むインターネットプロトコル（ＩＰ）型ネットワークとすることができ、インターネット９１０へのモバイル無線アクセス及び／又は固定無線アクセスをサポートすることができる。１つ又は複数の実施形態では、広帯域無線アクセスシステム９００は、３ＧＰＰ  ＬＴＥ規格及び／又はＩＥＥＥ８０２．１６標準のうちの１つ以上に準拠するシステムのような、直交周波数分割多重アクセス（ＯＦＤＭＡ）ベース、又はシングルキャリア周波数分割多重アクセス（ＳＣ−ＦＤＭＡ）ベースの無線ネットワークの任意の種類を含むことができ、特許請求される主題の範囲はこれらの点において限定されない。
【００７７】
例示的な広帯域無線アクセスシステム９００では、無線アクセスネットワーク（ＲＡＮ）９１２及び９１８が、それぞれ進化型ノードＢ（ｅＮＢ）９１４及び９２０と結合して、１つ若しくは複数の固定デバイス９１６とインターネット９１０との間、及び／又は１つ若しくは複数のモバイルデバイス９２２とインターネット９１０との間の無線通信を提供することができる。固定デバイス９１６及びモバイルデバイス９２２の１つの例は図８のデバイス８００であり、固定デバイス９１６がデバイス８００の固定バージョンを含み、モバイルデバイス９２２がデバイス８００のモバイルバージョンを含む。ＲＡＮ９１２及び９１８は、広帯域無線アクセスシステム９００上の１つ又は複数の物理的エンティティへのネットワーク機能のマッピングを定義できるプロファイルを実現することができる。ｅＮＢ９１４及び９２０は、デバイス８００に関連して説明したような固定デバイス９１６及び／又はモバイルデバイス９２２とＲＦ通信を行うための無線機器を含むことができ、また、たとえば、３ＧＰＰ  ＬＴＥ規格又はＩＥＥＥ８０２．１６標準に準拠するＰＨＹ及びＭＡＣ層機器を含むことができる。ｅＮＢ９１４及び９２０は、インターネット９１０にそれぞれＲＡＮ９１２及び９１８を介して結合するためのＩＰバックプレーンを更に含むことができるが、特許請求される主題の範囲はこれらの点において限定されない。
【００７８】
広帯域無線アクセスシステム９００は、訪問コアネットワーク（ＣＮ）９２４及び／又はホームＣＮ９２６を更に含むことができ、そのそれぞれが１つ又は複数のネットワーク機能を提供することができ得るとともに、これには、それだけには限らないが、たとえば認証、許可及び課金（ＡＡＡ）機能であるプロキシ及び／若しくはリレー型機能、動的ホスト構成プロトコル（ＤＨＣＰ）機能、又はドメイン名サービス制御など、公衆交換電話網（ＰＳＴＮ）ゲートウェイ若しくはボイスオーバインターネットプロトコル（ＶｏＩＰ）ゲートウェイなどのドメインゲートウェイ、及び／若しくはインターネットプロトコル（ＩＰ）型サーバ機能などが含まれる。しかしこれらは、訪問ＣＮ９２４及び／又はホームＣＮ９２６が提供できる機能の種類の単なる例にすぎず、特許請求される主題の範囲はこれらの点において限定されない。訪問ＣＮ９２４は、訪問ＣＮ９２４が固定デバイス９１６又はモバイルデバイス９２２の通常のサービスプロバイダの一部ではない場合に訪問ＣＮと呼ばれることがあり、これはたとえば、固定デバイス９１６若しくはモバイルデバイス９２２がそのそれぞれのホームＣＮ９２６から離れてさまよっている場合か、又は、広帯域無線アクセスシステム９００が固定デバイス９１６若しくはモバイルデバイス９２２の通常のサービスプロバイダの一部ではあるが、広帯域無線アクセスシステム９００が固定デバイス９１６若しくはモバイルデバイス９２２の主たる位置若しくはホーム位置ではない別の場所若しくは国にあり得る場合である。実施形態は、この文脈に限定されない。
【００７９】
固定デバイス９１６は、家庭又は事業所の中若しくは近くなど、ｅＮＢ９１４及び９２０の一方又は両方の到達範囲内のどこにでも設置されて、家庭又は事業所の顧客に、インターネット９１０への広帯域アクセスを、それぞれ、ｅＮＢ９１４及び９２０とＲＡＮ９１２及び９１８、並びにホームＣＮ９２６を介して提供することができる。固定デバイス９１６は一般に固定位置に配置されるが、必要に応じて別の位置へ動かせることは注意するだけの価値がある。モバイルデバイス９２２は、モバイルデバイス９２２がたとえば、ｅＮＢ９１４及び９２０の一方又は両方の到達範囲内にある場合に、１つの位置でも複数の位置でも利用することができる。１つ又は複数の実施形態によれば、オペレーションサポートシステム（ＯＳＳ）９２８が、広帯域無線アクセスシステム９００の管理機能を提供するために、また広帯域無線アクセスシステム９００の機能性エンティティ間のインターフェースを提供するために、広帯域無線アクセスシステム９００の一部となり得る。図９の広帯域無線アクセスシステム９００は、広帯域無線アクセスシステム９００の特定の数のコンポーネントを示している無線ネットワークの単に１つの種類にすぎず、特許請求される主題の範囲はこれらの点において限定されない。
【００８０】
様々な実施形態がハードウェア要素、ソフトウェア要素、又は両方の組合せを使用して実現され得る。ハードウェア要素の例には、プロセッサ、マイクロプロセッサ、回路、回路要素（たとえば、トランジスタ、抵抗、キャパシタ、インダクタなど）、集積回路、特定用途向け集積回路（ＡＳＩＣ）、プログラム可能論理デバイス（ＰＬＤ）、デジタル信号プロセッサ（ＤＳＰ）、フィールドプログラマブルゲートアレイ（ＦＰＧＡ）、論理ゲート、レジスタ、半導体デバイス、チップ、マイクロチップ、チップセットなどが含まれ得る。ソフトウェアの例には、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、関数、方法、手順、ソフトウェアインターフェース、アプリケーションプログラムインターフェース（ＡＰＩ）、命令セット、計算コード、コンピュータコード、コードセグメント、コンピュータコードセグメント、語、値、記号、又はこれらの任意の組合せを含み得る。ある実施形態がハードウェア要素及び／又はソフトウェア要素を使用して実現されるかどうかの判断は、所望の計算速度、電力レベル、耐熱性、処理サイクルバジェット、入力データ転送速度、出力データ転送速度、メモリ資源、データバス速度、及び他の設計制約又は性能制約などの任意の数の要因により、異なり得る。
【００８１】
少なくとも１つの実施形態の１つ又は複数の態様は、機械可読記憶媒体に記憶された代表的な命令によって実施することができ、この命令は、プロセッサ内の様々な論理を表し、機械によって読み取られると、その機械が論理を組み立てて、本明細書に記載された技法を実行することになる。「ＩＰコア」として知られるこのような表現は、有形の機械可読媒体に記憶することができ、様々な顧客又は製造施設に供給して、論理回路又はプロセッサを実際に作る製造機械にロードすることができる。いくつかの実施形態は、たとえば、命令又は命令セットを記憶できる機械可読媒体又は機械可読物を使用して実現することができ、この命令が機械によって実行されると、その機械が実施形態による方法及び／又は動作を実行することになり得る。このような機械は、たとえば、任意の適切な処理プラットフォーム、計算プラットフォーム、計算デバイス、処理デバイス、計算システム、処理システム、コンピュータ、プロセッサなどを含むことができ、また、ハードウェア及び／又はソフトウェアの任意の適切な組合せを使用して実現することができる。機械可読媒体又は機械可読物には、たとえば、任意の適切な種類のメモリユニット、メモリデバイス、メモリ物、メモリ媒体、記憶デバイス、記憶物、記憶媒体及び／又は記憶ユニット、たとえば、メモリ、取外し可能又は取外し不可能媒体、消去可能又は消去不可能媒体、書込み可能又は再書込み可能媒体、デジタル又はアナログ媒体、ハードディスク、フロッピーディスク、コンパクトディスク読み出し専用メモリ（ＣＤ−ＲＯＭ）、書込み可能なコンパクトディスク（ＣＤ−Ｒ）、再書込み可能なコンパクトディスク（ＣＤ−ＲＷ）、光ディスク、磁気媒体、磁気光媒体、取外し可能メモリカード又はメモリディスク、様々な種類のデジタル多機能ディスク（ＤＶＤ）、テープ、カセットなどが含まれ得る。命令は、ソースコード、コンパイルコード、インタプリタコード、実行可能コード、静的コード、動的コード、暗号コードなどの適切な任意の種類のコードを含むことができ、これらは、任意の適切な上位レベルの、下位レベルの、オブジェクト指向の、視覚による、コンパイル済みの、及び／又は解釈された、プログラミング言語を使用して実行される。
【００８２】
下記の例は、更なる実施形態に関する。
【００８３】
実例１は、ユーザ機器（ＵＥ）であり、第１のデバイスツーデバイス（Ｄ２Ｄ）発見期間に対するＤ２Ｄ発見期間指標値、並びに第１のＤ２Ｄ発見期間に対するＤ２Ｄ発見リソース割り当てを示すＤ２Ｄ発見リソース割り当てパラメータの第１の組を含むＤ２Ｄ構成情報を受信するための、かつ第１のＤ２Ｄ発見信号を第１のＤ２Ｄ発見期間中に、第１のＤ２Ｄ発見期間に対するＤ２Ｄ発見リソース割り当てを使用して送信するための、少なくとも１つの無線周波数（ＲＦ）トランシーバと、少なくとも一部分がハードウェアの形である論理回路とを備え、この論理回路が、第２のＤ２Ｄ発見期間に対するＤ２Ｄ発見期間指標値を第１のＤ２Ｄ発見期間に対するＤ２Ｄ発見期間指標値に基づいて決定し、かつＤ２Ｄ発見リソース割り当てパラメータの第２の組をＤ２Ｄ発見リソース割り当てパラメータの第１の組、及び第２のＤ２Ｄ発見期間に対するＤ２Ｄ発見期間指標値に基づいて決定し、Ｄ２Ｄ発見リソース割り当てパラメータの第２の組が、第２のＤ２Ｄ発見期間に対するＤ２Ｄ発見リソース割り当てを示す。
【００８４】
実例２は、実例１のＵＥであり、Ｄ２Ｄ発見リソース割り当てパラメータの第１の組が、第１のＤ２Ｄ発見周波数リソース指標、及び第１のＤ２Ｄ発見時間リソース指標を含み、Ｄ２Ｄ発見リソース割り当てパラメータの第２の組が、第２のＤ２Ｄ発見周波数リソース指標、及び第２のＤ２Ｄ発見時間リソース指標を含む。
【００８５】
実例３は、実例２のＵＥであり、その論理回路が、第２のＤ２Ｄ発見周波数リソース指標を、第１のＤ２Ｄ発見周波数リソース指標、第１のＤ２Ｄ発見時間リソース指標、及び第２のＤ２Ｄ発見期間に対するＤ２Ｄ発見期間指標値に基づいて決定する。
【００８６】
実例４は、実例２のＵＥであり、その論理回路が、第２のＤ２Ｄ発見時間リソース指標を、第２のＤ２Ｄ発見期間に対するＤ２Ｄ発見期間指標値を参照せずに決定する。
【００８７】
実例５は、実例２のＵＥであり、その論理回路が、第２のＤ２Ｄ発見時間リソース指標を、Ｄ２Ｄ構成情報に含まれるセル固有のシフトパラメータに基づいて決定する。
【００８８】
実例６は、実例１のＵＥであり、その論理回路が、第２のＤ２Ｄ発見期間に対するＤ２Ｄ発見期間指標値を、第１のＤ２Ｄ発見期間に対するＤ２Ｄ発見期間指標値、及び最大許容Ｄ２Ｄ発見期間指標値に基づいて決定する。
【００８９】
実例７は、実例６のＵＥであり、その論理回路が、第２のＤ２Ｄ発見期間に対するＤ２Ｄ発見期間指標値として０の値を、第１のＤ２Ｄ発見期間に対するＤ２Ｄ発見期間指標値が最大許容Ｄ２Ｄ発見期間指標値に等しいという判定に応じて決定する。
【００９０】
実例８は、実例１のＵＥであり、少なくとも１つのＲＦトランシーバが、第２のＤ２Ｄ発見信号を第２のＤ２Ｄ発見期間中に、第２のＤ２Ｄ発見期間に対するＤ２Ｄ発見リソース割り当てを使用して送信する。
【００９１】
実例９は、実例１から実例８のいずれかのＵＥであり、少なくとも１つのメモリユニットと、タッチスクリーン表示装置とを備える。
【００９２】
実例１０は、無線通信命令の組を含む少なくとも１つの非一時的なコンピュータ可読記憶媒体であり、その命令の組がユーザ機器（ＵＥ）において実行されることに応じて、ＵＥが、１つ又は複数のデバイスツーデバイス（Ｄ２Ｄ）発見信号を第１のＤ２Ｄ発見期間中に、第１の時間リソース指標及び第１の周波数リソース指標に基づいて識別されたＤ２Ｄ発見リソースを使用して送信し、第２の時間リソース指標を第１の時間リソース指標及び第１の周波数リソース指標に基づいて決定し、第２の周波数リソース指標を、第１の時間リソース指標、第１の周波数リソース指標、及び第２のＤ２Ｄ発見期間に対応するＤ２Ｄ発見期間指標値に基づいて決定し、かつ第２のＤ２Ｄ発見期間のＤ２Ｄ発見リソースを第２の時間リソース指標及び第２の周波数リソース指標に基づいて識別することになる。
【００９３】
実例１１は、実例１０の少なくとも１つの非一時的なコンピュータ可読記憶媒体であり、無線通信命令を含み、この命令がＵＥにおいて実行されることに応じて、ＵＥが、１つ又は複数のＤ２Ｄ発見信号を第２のＤ２Ｄ発見期間中に、第２のＤ２Ｄ発見期間の識別されたＤ２Ｄ発見リソースを使用して送信することになる。
【００９４】
実例１２は、実例１０の少なくとも１つの非一時的なコンピュータ可読記憶媒体であり、無線通信命令を含み、この命令がＵＥにおいて実行されることに応じて、ＵＥが、第１の時間リソース指標と、第１の周波数リソース指標と、第１のＤ２Ｄ発見期間に対応するＤ２Ｄ発見期間指標値とを含む無線リソース制御（ＲＲＣ）メッセージを受信することになる。
【００９５】
実例１３は、実例１２の少なくとも１つの非一時的なコンピュータ可読記憶媒体であり、無線通信命令を含み、この命令がＵＥにおいて実行されることに応じて、ＵＥが、第２のＤ２Ｄ発見期間に対応するＤ２Ｄ発見期間指標値を、第１のＤ２Ｄ発見期間に対応するＤ２Ｄ発見期間指標値、及び定義された最大Ｄ２Ｄ発見期間指標値に基づいて決定することになる。
【００９６】
実例１４は、実例１３の少なくとも１つの非一時的なコンピュータ可読記憶媒体であり、無線通信命令を含み、この命令がＵＥにおいて実行されることに応じて、ＵＥが、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値未満であるという判定に応じて、第１のＤ２Ｄ発見期間に対応するＤ２Ｄ発見期間指標値をインクリメントすることによって決定し、かつ第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値に等しいという判定に応じて、０に等しくなるように決定することになる。
【００９７】
実例１５は、実例１２の少なくとも１つの非一時的なコンピュータ可読記憶媒体であり、無線通信命令を含み、この命令がＵＥにおいて実行されることに応じて、ＵＥが、第２の時間リソース指標を、ＲＲＣメッセージに含まれるセル固有のシフトパラメータに基づいて決定することになる。
【００９８】
実例１６は、実例１０の少なくとも１つの非一時的なコンピュータ可読記憶媒体であり、無線通信命令を含み、この命令がＵＥにおいて実行されることに応じて、ＵＥが、第２の時間リソース指標を、第２のＤ２Ｄ発見期間に対応するＤ２Ｄ発見期間指標値を参照せずに決定することになる。
【００９９】
実例１７は、実例１０の少なくとも１つの非一時的なコンピュータ可読記憶媒体であり、無線通信命令を含み、この命令がＵＥにおいて実行されることに応じて、ＵＥが、第２のＤ２Ｄ発見期間に対する複数の周波数リソース指標を、第１の時間リソース指標、第１の周波数リソース指標、第２のＤ２Ｄ発見期間に対応するＤ２Ｄ発見期間指標値、及び第２のＤ２Ｄ発見期間中に送信されるべきＤ２Ｄ発見媒体アクセス制御（ＭＡＣ）プロトコルデータユニット（ＰＤＵ）の数に基づいて決定し、かつＤ２Ｄ  ＭＡＣ  ＰＤＵを第２のＤ２Ｄ発見期間中に、複数の周波数リソース指標によって示された周波数リソースを使用して送信することになる。
【０１００】
実例１８は、実例１０の少なくとも１つの非一時的なコンピュータ可読記憶媒体であり、無線通信命令を含み、この命令がＵＥにおいて実行されることに応じて、ＵＥが、第２の時間リソース指標及び第２の周波数リソース指標を、第２のＤ２Ｄ発見期間内に含まれるＤ２Ｄ発見サブフレームの数を示すパラメータに基づいて決定することになる。
【０１０１】
実例１９は、無線通信装置であり、少なくとも一部分がハードウェアの形である論理回路を備え、この論理回路が、第１の時間リソース指標及び第１の周波数リソース指標を指定するデバイスツーデバイス（Ｄ２Ｄ）発見構成情報を含む無線リソース制御（ＲＲＣ）メッセージを受信し、第１のＤ２Ｄ発見期間に対するＤ２Ｄ発見リソースプールに含まれるＤ２Ｄ発見リソースの組を含む第１のユーザ機器（ＵＥ）固有のリソース割り当てを決定し、第１のＵＥ固有のリソース割り当てが、第１の時間リソース指標及び第１の周波数リソース指標に基づいて決定され、論理回路が、Ｄ２Ｄ発見信号を第１のＤ２Ｄ発見期間中に、第１のＵＥ固有のリソース割り当てを使用して送信し、かつ第２のＤ２Ｄ発見期間に対するＤ２Ｄ発見リソースプールに含まれるＤ２Ｄ発見リソースの組を含む第２のＵＥ固有のリソース割り当てを決定し、第２のＵＥ固有のリソース割り当てが、第１のＵＥ固有のリソース割り当て、及び第２のＤ２Ｄ発見期間に対するＤ２Ｄ発見期間指標値に基づいて決定される。
【０１０２】
実例２０は、実例１９の無線通信装置であり、その論理回路が、Ｄ２Ｄ発見信号を第２のＤ２Ｄ発見期間中に、第２のＵＥ固有のリソース割り当てを使用して送信する。
【０１０３】
実例２１は、実例１９の無線通信装置であり、その論理回路が、第２のＤ２Ｄ発見期間に対するＤ２Ｄ発見リソース割り当てパラメータの組を、第１の時間リソース指標、第１の周波数リソース指標、及び第２のＤ２Ｄ発見期間に対するＤ２Ｄ発見期間指標値に基づいて決定し、Ｄ２Ｄ発見リソース割り当てパラメータの組が、第２の時間リソース指標及び第２の周波数リソース指標を含み、論理回路が、第２のＵＥ固有のリソース割り当てをＤ２Ｄ発見リソース割り当てパラメータの組に基づいて決定する。
【０１０４】
実例２２は、実例２１の無線通信装置であり、その論理回路が、第２の周波数リソース指標を、第１の時間リソース指標、第１の周波数リソース指標、及び第２のＤ２Ｄ発見期間に対するＤ２Ｄ発見期間指標値に基づいて決定する。
【０１０５】
実例２３は、実例２１の無線通信装置であり、その論理回路が、第２の時間リソース指標を、第２のＤ２Ｄ発見期間に対するＤ２Ｄ発見期間指標値を参照せずに決定する。
【０１０６】
実例２４は、実例２１の無線通信装置であり、その論理回路が、第２の時間リソース指標を、Ｄ２Ｄ発見構成情報に含まれるセル固有のシフトパラメータに基づいて決定する。
【０１０７】
実例２５は、実例１９の無線通信装置であり、その論理回路が、第２のＤ２Ｄ発見期間に対するＤ２Ｄ発見期間指標値を、第１のＤ２Ｄ発見期間に対するＤ２Ｄ発見期間指標値に基づいて決定し、第１のＤ２Ｄ発見期間に対するＤ２Ｄ発見期間指標値が、Ｄ２Ｄ発見構成情報に含まれる。
【０１０８】
実例２６は、実例２５の無線通信装置であり、その論理回路が、第２のＤ２Ｄ発見期間に対するＤ２Ｄ発見期間指標値を、第１のＤ２Ｄ発見期間に対するＤ２Ｄ発見期間指標値、及び定義された最大Ｄ２Ｄ発見期間指標値に基づいて決定する。
【０１０９】
実例２７は、ユーザ機器（ＵＥ）であり、実例１９から実例２６のいずれかの装置と、少なくとも１つの無線周波数（ＲＦ）トランシーバと、少なくとも１つのＲＦアンテナとを備える。
【０１１０】
実例２８は、実例２７のＵＥであり、少なくとも１つのメモリユニットと、タッチスクリーン表示装置とを備える。
【０１１１】
実例２９は、無線通信方法であり、ユーザ機器（ＵＥ）によって、１つ又は複数のデバイスツーデバイス（Ｄ２Ｄ）発見信号を第１のＤ２Ｄ発見期間中に、第１の時間リソース指標及び第１の周波数リソース指標に基づいて識別されたＤ２Ｄ発見リソースを使用して送信するステップと、ＵＥの処理回路によって、第２の時間リソース指標を第１の時間リソース指標及び第１の周波数リソース指標に基づいて決定するステップと、第２の周波数リソース指標を第１の時間リソース指標、第１の周波数リソース指標、及び第２のＤ２Ｄ発見期間に対応するＤ２Ｄ発見期間指標値に基づいて決定するステップと、第２のＤ２Ｄ発見期間のＤ２Ｄ発見リソースを第２の時間リソース指標及び第２の周波数リソース指標に基づいて識別するステップとを含む。
【０１１２】
実例３０は、実例２９の無線通信方法であり、１つ又は複数のＤ２Ｄ発見信号を第２のＤ２Ｄ発見期間中に、第２のＤ２Ｄ発見期間の識別されたＤ２Ｄ発見リソースを使用して送信するステップを含む。
【０１１３】
実例３１は、実例２９の無線通信方法であり、第１の時間リソース指標と、第１の周波数リソース指標と、第１のＤ２Ｄ発見期間に対応するＤ２Ｄ発見期間指標値とを含む無線リソース制御（ＲＲＣ）メッセージを受信するステップを含む。
【０１１４】
実例３２は、実例３１の無線通信方法であり、第２のＤ２Ｄ発見期間に対応するＤ２Ｄ発見期間指標値を、第１のＤ２Ｄ発見期間に対応するＤ２Ｄ発見期間指標値、及び定義された最大Ｄ２Ｄ発見期間指標値に基づいて決定するステップを含む。
【０１１５】
実例３３は、実例３２の無線通信方法であり、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値未満であるという判定に応じて、第１のＤ２Ｄ発見期間に対応するＤ２Ｄ発見期間指標値をインクリメントすることによって決定するステップと、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値に等しいという判定に応じて、０に等しくなるように決定するステップとを含む。
【０１１６】
実例３４は、実例３１の無線通信方法であり、第２の時間リソース指標を、ＲＲＣメッセージに含まれるセル固有のシフトパラメータに基づいて決定するステップを含む。
【０１１７】
実例３５は、実例２９の無線通信方法であり、第２の時間リソース指標を、第２のＤ２Ｄ発見期間に対応するＤ２Ｄ発見期間指標値を参照せずに決定するステップを含む。
【０１１８】
実例３６は、実例２９の無線通信方法であり、第２のＤ２Ｄ発見期間に対する複数の周波数リソース指標を、第１の時間リソース指標、第１の周波数リソース指標、第２のＤ２Ｄ発見期間に対応するＤ２Ｄ発見期間指標値、及び第２のＤ２Ｄ発見期間中に送信されるべきＤ２Ｄ発見媒体アクセス制御（ＭＡＣ）プロトコルデータユニット（ＰＤＵ）の数に基づいて決定するステップと、Ｄ２Ｄ  ＭＡＣ  ＰＤＵを第２のＤ２Ｄ発見期間中に、複数の周波数リソース指標によって示された周波数リソースを使用して送信するステップとを含む。
【０１１９】
実例３７は、実例２９の無線通信方法であり、第２の時間リソース指標及び第２の周波数リソース指標を、第２のＤ２Ｄ発見期間内に含まれるＤ２Ｄ発見サブフレームの数を示すパラメータに基づいて決定するステップを含む。
【０１２０】
実例３８は、命令の組を含む少なくとも１つの非一時的なコンピュータ可読記憶媒体であり、その命令の組が計算デバイスにおいて実行されることに応じて、この計算デバイスが、実例２９から実例３７のいずれかによる無線通信方法を実行することになる。
【０１２１】
実例３９は、装置であり、実例２９から実例３７のいずれかによる無線通信方法を実行するための手段を含む。
【０１２２】
実例４０は、システムであり、実例３９の装置と、少なくとも１つの無線周波数（ＲＦ）トランシーバと、少なくとも１つのＲＦアンテナとを備える。
【０１２３】
実例４１は、実例４０のシステムであり、少なくとも１つのメモリユニットと、タッチスクリーン表示装置とを備える。
【０１２４】
実例４２は、無線通信命令の組を含む少なくとも１つの非一時的なコンピュータ可読記憶媒体であり、この無線通信命令の組がユーザ機器（ＵＥ）において実行されることに応じて、ＵＥが、第１の時間リソース指標及び第１の周波数リソース指標を指定するデバイスツーデバイス（Ｄ２Ｄ）発見構成情報を含む無線リソース制御（ＲＲＣ）メッセージを受信し、第１のＤ２Ｄ発見期間に対するＤ２Ｄ発見リソースプールに含まれるＤ２Ｄ発見リソースの組を含む第１のユーザ機器（ＵＥ）固有のリソース割り当てを決定し、第１のＵＥ固有のリソース割り当てが、第１の時間リソース指標及び第１の周波数リソース指標に基づいて決定され、ＵＥが、Ｄ２Ｄ発見信号を第１のＤ２Ｄ発見期間中に、第１のＵＥ固有のリソース割り当てを使用して送信し、かつ第２のＤ２Ｄ発見期間に対するＤ２Ｄ発見リソースプールに含まれるＤ２Ｄ発見リソースの組を含む第２のＵＥ固有のリソース割り当てを決定し、第２のＵＥ固有のリソース割り当てが、第１のＵＥ固有のリソース割り当て、及び第２のＤ２Ｄ発見期間に対するＤ２Ｄ発見期間指標値に基づいて決定される。
【０１２５】
実例４３は、実例４２の少なくとも１つの非一時的なコンピュータ可読記憶媒体であり、無線通信命令を含み、この無線通信命令がＵＥにおいて実行されることに応じて、ＵＥが、Ｄ２Ｄ発見信号を第２のＤ２Ｄ発見期間中に、第２のＵＥ固有のリソース割り当てを使用して送信することになる。
【０１２６】
実例４４は、実例４２の少なくとも１つの非一時的なコンピュータ可読記憶媒体であり、無線通信命令を含み、この無線通信命令がＵＥにおいて実行されることに応じて、ＵＥが、第２のＤ２Ｄ発見期間に対するＤ２Ｄ発見リソース割り当てパラメータの組を、第１の時間リソース指標、第１の周波数リソース指標、及び第２のＤ２Ｄ発見期間に対するＤ２Ｄ発見期間指標値に基づいて決定することになり、Ｄ２Ｄ発見リソース割り当てパラメータの組が、第２の時間リソース指標及び第２の周波数リソース指標を含み、またＵＥが、第２のＵＥ固有のリソース割り当てをＤ２Ｄ発見リソース割り当てパラメータの組に基づいて決定することになる。
【０１２７】
実例４５は、実例４４の少なくとも１つの非一時的なコンピュータ可読記憶媒体であり、無線通信命令を含み、この無線通信命令がＵＥにおいて実行されることに応じて、ＵＥが、第２の周波数リソース指標を、第１の時間リソース指標、第１の周波数リソース指標、及び第２のＤ２Ｄ発見期間に対するＤ２Ｄ発見期間指標値に基づいて決定することになる。
【０１２８】
実例４６は、実例４４の少なくとも１つの非一時的なコンピュータ可読記憶媒体であり、無線通信命令を含み、この無線通信命令がＵＥにおいて実行されることに応じて、ＵＥが、第２の時間リソース指標を、第２のＤ２Ｄ発見期間に対するＤ２Ｄ発見期間指標値を参照せずに決定することになる。
【０１２９】
実例４７は、実例４４の少なくとも１つの非一時的なコンピュータ可読記憶媒体であり、無線通信命令を含み、この無線通信命令がＵＥにおいて実行されることに応じて、ＵＥが、第２の時間リソース指標を、Ｄ２Ｄ発見構成情報に含まれるセル固有のシフトパラメータに基づいて決定する。
【０１３０】
実例４８は、実例４２の少なくとも１つの非一時的なコンピュータ可読記憶媒体であり、無線通信命令を含み、この無線通信命令がＵＥにおいて実行されることに応じて、ＵＥが、第２のＤ２Ｄ発見期間に対するＤ２Ｄ発見期間指標値を、第１のＤ２Ｄ発見期間に対するＤ２Ｄ発見期間指標値に基づいて決定することになり、第１のＤ２Ｄ発見期間に対するＤ２Ｄ発見期間指標値が、Ｄ２Ｄ発見構成情報に含まれる。
【０１３１】
実例４９は、実例４８の少なくとも１つの非一時的なコンピュータ可読記憶媒体であり、無線通信命令を含み、この無線通信命令がＵＥにおいて実行されることに応じて、ＵＥが、第２のＤ２Ｄ発見期間に対するＤ２Ｄ発見期間指標値を、第１のＤ２Ｄ発見期間に対するＤ２Ｄ発見期間指標値、及び定義された最大Ｄ２Ｄ発見期間指標値に基づいて決定することになる。
【０１３２】
実例５０は、無線通信装置であり、少なくとも一部分がハードウェアの形である論理回路を備え、この論理回路が、第１のデバイスツーデバイス（Ｄ２Ｄ）発見期間に対するＤ２Ｄ発見期間指標値、並びに第１のＤ２Ｄ発見期間に対するＤ２Ｄ発見リソース割り当てを示すＤ２Ｄ発見リソース割り当てパラメータの第１の組を含む、Ｄ２Ｄ構成情報を受信し、第１のＤ２Ｄ発見信号を第１のＤ２Ｄ発見期間中に、第１のＤ２Ｄ発見期間に対するＤ２Ｄ発見リソース割り当てを使用して送信し、第２のＤ２Ｄ発見期間に対するＤ２Ｄ発見期間指標値を第１のＤ２Ｄ発見期間に対するＤ２Ｄ発見期間指標値に基づいて決定し、かつＤ２Ｄ発見リソース割り当てパラメータの第２の組をＤ２Ｄ発見リソース割り当てパラメータの第１の組、及び第２のＤ２Ｄ発見期間に対するＤ２Ｄ発見期間指標値に基づいて決定し、Ｄ２Ｄ発見リソース割り当てパラメータの第２の組が、第２のＤ２Ｄ発見期間に対するＤ２Ｄ発見リソース割り当てを示す。
【０１３３】
実例５１は、実例５０の無線通信装置であり、Ｄ２Ｄ発見リソース割り当てパラメータの第１の組が、第１のＤ２Ｄ発見周波数リソース指標、及び第１のＤ２Ｄ発見時間リソース指標を含み、Ｄ２Ｄ発見リソース割り当てパラメータの第２の組が、第２のＤ２Ｄ発見周波数リソース指標、及び第２のＤ２Ｄ発見時間リソース指標を含む。
【０１３４】
実例５２は、実例５１の無線通信装置であり、その論理回路が、第２のＤ２Ｄ発見周波数リソース指標を、第１のＤ２Ｄ発見周波数リソース指標、第１のＤ２Ｄ発見時間リソース指標、及び第２のＤ２Ｄ発見期間に対するＤ２Ｄ発見期間指標値に基づいて決定する。
【０１３５】
実例５３は、実例５１の無線通信装置であり、その論理回路が、第２のＤ２Ｄ発見時間リソース指標を、第２のＤ２Ｄ発見期間に対するＤ２Ｄ発見期間指標値を参照せずに決定する。
【０１３６】
実例５４は、実例５１の無線通信装置であり、その論理回路が、第２のＤ２Ｄ発見時間リソース指標を、Ｄ２Ｄ構成情報に含まれるセル固有のシフトパラメータに基づいて決定する。
【０１３７】
実例５５は、実例５０の無線通信装置であり、その論理回路が、第２のＤ２Ｄ発見期間に対するＤ２Ｄ発見期間指標値を、第１のＤ２Ｄ発見期間に対するＤ２Ｄ発見期間指標値、及び最大許容Ｄ２Ｄ発見期間指標値に基づいて決定する。
【０１３８】
実例５６は、実例５５の無線通信装置であり、その論理回路が、第２のＤ２Ｄ発見期間に対するＤ２Ｄ発見期間指標値として０の値を、第１のＤ２Ｄ発見期間に対するＤ２Ｄ発見期間指標値が最大許容Ｄ２Ｄ発見期間指標値に等しいという判定に応じて決定する。
【０１３９】
実例５７は、実例５０の無線通信装置であり、その論理回路が、第２のＤ２Ｄ発見信号を第２のＤ２Ｄ発見期間中に、第２のＤ２Ｄ発見期間に対するＤ２Ｄ発見リソース割り当てを使用して送信する。
【０１４０】
実例５８は、ユーザ機器（ＵＥ）であり、実例５０から実例５７のいずれかによる装置と、少なくとも１つの無線周波数（ＲＦ）トランシーバと、少なくとも１つのＲＦアンテナとを備える。
【０１４１】
実例５９は、実例５８のＵＥであり、少なくとも１つのメモリユニットと、タッチスクリーン表示装置とを備える。
【０１４２】
実例６０は、無線通信方法であり、ユーザ機器（ＵＥ）において、第１の時間リソース指標及び第１の周波数リソース指標を指定するデバイスツーデバイス（Ｄ２Ｄ）発見構成情報を含む無線リソース制御（ＲＲＣ）メッセージを受信するステップと、ＵＥの処理回路によって、第１のＤ２Ｄ発見期間に対するＤ２Ｄ発見リソースプールに含まれるＤ２Ｄ発見リソースの組を含む第１のユーザ機器（ＵＥ）固有のリソース割り当てを決定するステップとを含み、第１のＵＥ固有のリソース割り当てが、第１の時間リソース指標及び第１の周波数リソース指標に基づいて決定され、無線通信方法がさらに、Ｄ２Ｄ発見信号を第１のＤ２Ｄ発見期間中に、第１のＵＥ固有のリソース割り当てを使用して送信するステップと、第２のＤ２Ｄ発見期間に対するＤ２Ｄ発見リソースプールに含まれるＤ２Ｄ発見リソースの組を含む第２のＵＥ固有のリソース割り当てを決定するステップとを含み、第２のＵＥ固有のリソース割り当てが、第１のＵＥ固有のリソース割り当て、及び第２のＤ２Ｄ発見期間に対するＤ２Ｄ発見期間指標値に基づいて決定される。
【０１４３】
実例６１は、実例６０の無線通信方法であり、Ｄ２Ｄ発見信号を第２のＤ２Ｄ発見期間中に、第２のＵＥ固有のリソース割り当てを使用して送信するステップを含む。
【０１４４】
実例６２は、実例６０の無線通信方法であり、第２のＤ２Ｄ発見期間に対するＤ２Ｄ発見リソース割り当てパラメータの組を、第１の時間リソース指標、第１の周波数リソース指標、及び第２のＤ２Ｄ発見期間に対するＤ２Ｄ発見期間指標値に基づいて決定するステップを含み、Ｄ２Ｄ発見リソース割り当てパラメータの組が、第２の時間リソース指標及び第２の周波数リソース指標を含み、無線通信方法がさらに、第２のＵＥ固有のリソース割り当てをＤ２Ｄ発見リソース割り当てパラメータの組に基づいて決定するステップを含む。
【０１４５】
実例６３は、実例６２の無線通信方法であり、第２の周波数リソース指標を、第１の時間リソース指標、第１の周波数リソース指標、及び第２のＤ２Ｄ発見期間に対するＤ２Ｄ発見期間指標値に基づいて決定するステップを含む。
【０１４６】
実例６４は、実例６２の無線通信方法であり、第２の時間リソース指標を、第２のＤ２Ｄ発見期間に対するＤ２Ｄ発見期間指標値を参照せずに決定するステップを含む。
【０１４７】
実例６５は、実例６２の無線通信方法であり、第２の時間リソース指標を、Ｄ２Ｄ発見構成情報に含まれるセル固有のシフトパラメータに基づいて決定するステップを含む。
【０１４８】
実例６６は、実例６０の無線通信方法であり、第２のＤ２Ｄ発見期間に対するＤ２Ｄ発見期間指標値を、第１のＤ２Ｄ発見期間に対するＤ２Ｄ発見期間指標値に基づいて決定するステップを含み、第１のＤ２Ｄ発見期間に対するＤ２Ｄ発見期間指標値が、Ｄ２Ｄ発見構成情報に含まれる。
【０１４９】
実例６７は、実例６６の無線通信方法であり、第２のＤ２Ｄ発見期間に対するＤ２Ｄ発見期間指標値を、第１のＤ２Ｄ発見期間に対するＤ２Ｄ発見期間指標値、及び定義された最大Ｄ２Ｄ発見期間指標値に基づいて決定するステップを含む。
【０１５０】
実例６８は、命令の組を含む少なくとも１つの非一時的なコンピュータ可読記憶媒体であり、その命令の組が計算デバイスにおいて実行されることに応じて、計算デバイスが、実例６０から実例６７のいずれかによる無線通信方法を実行することになる。
【０１５１】
実例６９は、装置であり、実例６０から実例６７のいずれかによる無線通信方法を実行するための手段を含む。
【０１５２】
実例７０は、システムであり、実例６９の装置と、少なくとも１つの無線周波数（ＲＦ）トランシーバと、少なくとも１つのＲＦアンテナとを備える。
【０１５３】
実例７１は、実例７０のシステムであり、少なくとも１つのメモリユニットと、タッチスクリーン表示装置とを備える。
【０１５４】
実例７２は、無線通信装置であり、第１のデバイスツーデバイス（Ｄ２Ｄ）発見期間に対するＤ２Ｄ発見期間指標値、並びに第１のＤ２Ｄ発見期間に対するＤ２Ｄ発見リソース割り当てを示すＤ２Ｄ発見リソース割り当てパラメータの第１の組を含む、Ｄ２Ｄ構成情報を受信するための手段と、第１のＤ２Ｄ発見信号を第１のＤ２Ｄ発見期間中に、第１のＤ２Ｄ発見期間に対するＤ２Ｄ発見リソース割り当てを使用して送信するための手段と、第２のＤ２Ｄ発見期間に対するＤ２Ｄ発見期間指標値を第１のＤ２Ｄ発見期間に対するＤ２Ｄ発見期間指標値に基づいて決定するための手段と、Ｄ２Ｄ発見リソース割り当てパラメータの第２の組をＤ２Ｄ発見リソース割り当てパラメータの第１の組、及び第２のＤ２Ｄ発見期間に対するＤ２Ｄ発見期間指標値に基づいて決定するための手段とを備え、Ｄ２Ｄ発見リソース割り当てパラメータの第２の組が、第２のＤ２Ｄ発見期間に対するＤ２Ｄ発見リソース割り当てを示す。
【０１５５】
実例７３は、実例７２の無線通信装置であり、Ｄ２Ｄ発見リソース割り当てパラメータの第１の組が、第１のＤ２Ｄ発見周波数リソース指標、及び第１のＤ２Ｄ発見時間リソース指標を含み、Ｄ２Ｄ発見リソース割り当てパラメータの第２の組が、第２のＤ２Ｄ発見周波数リソース指標、及び第２のＤ２Ｄ発見時間リソース指標を含む。
【０１５６】
実例７４は、実例７３の無線通信装置であり、第２のＤ２Ｄ発見周波数リソース指標を、第１のＤ２Ｄ発見周波数リソース指標、第１のＤ２Ｄ発見時間リソース指標、及び第２のＤ２Ｄ発見期間に対するＤ２Ｄ発見期間指標値に基づいて決定するための手段を備える。
【０１５７】
実例７５は、実例７３の無線通信装置であり、第２のＤ２Ｄ発見時間リソース指標を、第２のＤ２Ｄ発見期間に対するＤ２Ｄ発見期間指標値を参照せずに決定するための手段を備える。
【０１５８】
実例７６は、実例７３の無線通信装置であり、第２のＤ２Ｄ発見時間リソース指標を、Ｄ２Ｄ構成情報に含まれるセル固有のシフトパラメータに基づいて決定するための手段を備える。
【０１５９】
実例７７は、実例７２の無線通信装置であり、第２のＤ２Ｄ発見期間に対するＤ２Ｄ発見期間指標値を、第１のＤ２Ｄ発見期間に対するＤ２Ｄ発見期間指標値、及び最大許容Ｄ２Ｄ発見期間指標値に基づいて決定するための手段を備える。
【０１６０】
実例７８は、実例７７の無線通信装置であり、第２のＤ２Ｄ発見期間に対するＤ２Ｄ発見期間指標値として０の値を、第１のＤ２Ｄ発見期間に対するＤ２Ｄ発見期間指標値が最大許容Ｄ２Ｄ発見期間指標値に等しいという判定に応じて決定するための手段を備える。
【０１６１】
実例７９は、実例７２の無線通信装置であり、第２のＤ２Ｄ発見信号を第２のＤ２Ｄ発見期間中に、第２のＤ２Ｄ発見期間に対するＤ２Ｄ発見リソース割り当てを使用して送信するための手段を備える。
【０１６２】
実例８０は、システムであり、実例７２から実例７９のいずれかによる装置と、少なくとも１つの無線周波数（ＲＦ）トランシーバと、少なくとも１つのＲＦアンテナとを備える。
【０１６３】
実例８１は、実例８０のシステムであり、少なくとも１つのメモリユニットと、タッチスクリーン表示装置とを備える。
【０１６４】
実例８２は、無線通信装置であり、少なくとも一部分がハードウェアの形である論理回路を備え、この論理回路が、１つ又は複数のデバイスツーデバイス（Ｄ２Ｄ）発見信号を第１のＤ２Ｄ発見期間中に、第１の時間リソース指標及び第１の周波数リソース指標に基づいて識別されたＤ２Ｄ発見リソースを使用して送信し、第２の時間リソース指標を第１の時間リソース指標及び第１の周波数リソース指標に基づいて決定し、第２の周波数リソース指標を第１の時間リソース指標、第１の周波数リソース指標、及び第２のＤ２Ｄ発見期間に対応するＤ２Ｄ発見期間指標値に基づいて決定し、かつ第２のＤ２Ｄ発見期間のＤ２Ｄ発見リソースを第２の時間リソース指標及び第２の周波数リソース指標に基づいて識別する。
【０１６５】
実例８３は、実例８２の無線通信装置であり、その論理回路が、１つ又は複数のＤ２Ｄ発見信号を第２のＤ２Ｄ発見期間中に、第２のＤ２Ｄ発見期間の識別されたＤ２Ｄ発見リソースを使用して送信する。
【０１６６】
実例８４は、実例８２の無線通信装置であり、その論理回路が、第１の時間リソース指標と、第１の周波数リソース指標と、第１のＤ２Ｄ発見期間に対応するＤ２Ｄ発見期間指標値とを含む無線リソース制御（ＲＲＣ）メッセージを受信する。
【０１６７】
実例８５は、実例８４の無線通信装置であり、その論理回路が、第２のＤ２Ｄ発見期間に対応するＤ２Ｄ発見期間指標値を、第１のＤ２Ｄ発見期間に対応するＤ２Ｄ発見期間指標値、及び定義された最大Ｄ２Ｄ発見期間指標値に基づいて決定する。
【０１６８】
実例８６は、実例８５の無線通信装置であり、その論理回路が、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値未満であるという判定に応じて、第１のＤ２Ｄ発見期間に対応するＤ２Ｄ発見期間指標値をインクリメントすることによって決定し、かつ第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値に等しいという判定に応じて、０に等しくなるように決定する。
【０１６９】
実例８７は、実例８４の無線通信装置であり、その論理回路が、第２の時間リソース指標を、ＲＲＣメッセージに含まれるセル固有のシフトパラメータに基づいて決定する。
【０１７０】
実例８８は、実例８２の無線通信装置であり、その論理回路が、第２の時間リソース指標を、第２のＤ２Ｄ発見期間に対応するＤ２Ｄ発見期間指標値を参照せずに決定する。
【０１７１】
実例８９は、実例８２の無線通信装置であり、その論理回路が、第２のＤ２Ｄ発見期間に対する複数の周波数リソース指標を、第１の時間リソース指標、第１の周波数リソース指標、第２のＤ２Ｄ発見期間に対応するＤ２Ｄ発見期間指標値、及び第２のＤ２Ｄ発見期間中に送信されるべきＤ２Ｄ発見媒体アクセス制御（ＭＡＣ）プロトコルデータユニット（ＰＤＵ）の数に基づいて決定し、かつＤ２Ｄ  ＭＡＣ  ＰＤＵを第２のＤ２Ｄ発見期間中に、複数の周波数リソース指標によって示された周波数リソースを使用して送信する。
【０１７２】
実例９０は、実例８２の無線通信装置であり、その論理回路が、第２の時間リソース指標及び第２の周波数リソース指標を、第２のＤ２Ｄ発見期間内に含まれるＤ２Ｄ発見サブフレームの数を示すパラメータに基づいて決定する。
【０１７３】
実例９１は、ユーザ機器（ＵＥ）であり、実例８２から実例９０のいずれかによる装置と、少なくとも１つの無線周波数（ＲＦ）トランシーバと、少なくとも１つのＲＦアンテナとを備える。
【０１７４】
実例９２は、実例９１のＵＥであり、少なくとも１つのメモリユニットと、タッチスクリーン表示装置とを備える。
【０１７５】
実例９３は、無線通信方法であり、ユーザ機器（ＵＥ）において、第１のデバイスツーデバイス（Ｄ２Ｄ）発見期間に対するＤ２Ｄ発見期間指標値、並びに第１のＤ２Ｄ発見期間に対するＤ２Ｄ発見リソース割り当てを示すＤ２Ｄ発見リソース割り当てパラメータの第１の組を含む、Ｄ２Ｄ構成情報を受信するステップと、第１のＤ２Ｄ発見信号を第１のＤ２Ｄ発見期間中に、第１のＤ２Ｄ発見期間に対するＤ２Ｄ発見リソース割り当てを使用して送信するステップと、ＵＥの処理回路によって、第２のＤ２Ｄ発見期間に対するＤ２Ｄ発見期間指標値を、第１のＤ２Ｄ発見期間に対するＤ２Ｄ発見期間指標値に基づいて決定するステップと、Ｄ２Ｄ発見リソース割り当てパラメータの第２の組を、Ｄ２Ｄ発見リソース割り当てパラメータの第１の組、及び第２のＤ２Ｄ発見期間に対するＤ２Ｄ発見期間指標値に基づいて決定するステップとを含み、Ｄ２Ｄ発見リソース割り当てパラメータの第２の組が、第２のＤ２Ｄ発見期間に対するＤ２Ｄ発見リソース割り当てを示す。
【０１７６】
実例９４は、実例９３の無線通信方法であり、Ｄ２Ｄ発見リソース割り当てパラメータの第１の組が、第１のＤ２Ｄ発見周波数リソース指標、及び第１のＤ２Ｄ発見時間リソース指標を含み、Ｄ２Ｄ発見リソース割り当てパラメータの第２の組が、第２のＤ２Ｄ発見周波数リソース指標、及び第２のＤ２Ｄ発見時間リソース指標を含む。
【０１７７】
実例９５は、実例９４の無線通信方法であり、第２のＤ２Ｄ発見周波数リソース指標を、第１のＤ２Ｄ発見周波数リソース指標、第１のＤ２Ｄ発見時間リソース指標、及び第２のＤ２Ｄ発見期間に対するＤ２Ｄ発見期間指標値に基づいて決定するステップを含む。
【０１７８】
実例９６は、実例９４の無線通信方法であり、第２のＤ２Ｄ発見時間リソース指標を、第２のＤ２Ｄ発見期間に対するＤ２Ｄ発見期間指標値を参照せずに決定するステップを含む。
【０１７９】
実例９７は、実例９４の無線通信方法であり、第２のＤ２Ｄ発見時間リソース指標を、Ｄ２Ｄ構成情報に含まれるセル固有のシフトパラメータに基づいて決定するステップを含む。
【０１８０】
実例９８は、実例９３の無線通信方法であり、第２のＤ２Ｄ発見期間に対するＤ２Ｄ発見期間指標値を、第１のＤ２Ｄ発見期間に対するＤ２Ｄ発見期間指標値、及び最大許容Ｄ２Ｄ発見期間指標値に基づいて決定するステップを含む。
【０１８１】
実例９９は、実例９８の無線通信方法であり、第２のＤ２Ｄ発見期間に対するＤ２Ｄ発見期間指標値として０の値を、第１のＤ２Ｄ発見期間に対するＤ２Ｄ発見期間指標値が最大許容Ｄ２Ｄ発見期間指標値に等しいという判定に応じて決定するステップを含む。
【０１８２】
実例１００は、実例９３の無線通信方法であり、第２のＤ２Ｄ発見信号を第２のＤ２Ｄ発見期間中に、第２のＤ２Ｄ発見期間に対するＤ２Ｄ発見リソース割り当てを使用して送信するステップを含む。
【０１８３】
実例１０１は、命令の組を含む少なくとも１つの非一時的なコンピュータ可読記憶媒体であり、その命令の組が計算デバイスにおいて実行されることに応じて、この計算デバイスが、実例９３から実例１００のいずれかによる無線通信方法を実行することになる。
【０１８４】
実例１０２は、装置であり、実例９３から実例１００のいずれかによる無線通信方法を実行するための手段を備える。
【０１８５】
実例１０３は、システムであり、実例１０２の装置と、少なくとも１つの無線周波数（ＲＦ）トランシーバと、少なくとも１つのＲＦアンテナとを備える。
【０１８６】
実例１０４は、実例１０３のシステムであり、少なくとも１つのメモリユニットと、タッチスクリーン表示装置とを備える。
【０１８７】
実例１０５は、無線通信装置であり、１つ又は複数のデバイスツーデバイス（Ｄ２Ｄ）発見信号を第１のＤ２Ｄ発見期間中に、第１の時間リソース指標及び第１の周波数リソース指標に基づいて識別されたＤ２Ｄ発見リソースを使用して送信するための手段と、第２の時間リソース指標を、第１の時間リソース指標及び第１の周波数リソース指標に基づいて決定するための手段と、第２の周波数リソース指標を、第１の時間リソース指標、第１の周波数リソース指標、及び第２のＤ２Ｄ発見期間に対応するＤ２Ｄ発見期間指標値に基づいて決定するための手段と、第２のＤ２Ｄ発見期間のＤ２Ｄ発見リソースを、第２の時間リソース指標及び第２の周波数リソース指標に基づいて識別するための手段とを備える。
【０１８８】
実例１０６は、実例１０５の無線通信装置であり、１つ又は複数のＤ２Ｄ発見信号を第２のＤ２Ｄ発見期間中に、第２のＤ２Ｄ発見期間の識別されたＤ２Ｄ発見リソースを使用して送信するための手段を含む。
【０１８９】
実例１０７は、実例１０５の無線通信装置であり、第１の時間リソース指標と、第１の周波数リソース指標と、第１のＤ２Ｄ発見期間に対応するＤ２Ｄ発見期間指標値とを含む無線リソース制御（ＲＲＣ）メッセージを受信するための手段を含む。
【０１９０】
実例１０８は、実例１０７の無線通信装置であり、第２のＤ２Ｄ発見期間に対応するＤ２Ｄ発見期間指標値を、第１のＤ２Ｄ発見期間に対応するＤ２Ｄ発見期間指標値、及び定義された最大Ｄ２Ｄ発見期間指標値に基づいて決定するための手段を含む。
【０１９１】
実例１０９は、実例１０８の無線通信装置であり、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値未満であるという判定に応じて、第１のＤ２Ｄ発見期間に対応するＤ２Ｄ発見期間指標値をインクリメントすることによって決定するための手段と、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値に等しいという判定に応じて、０に等しくなるように決定するための手段とを含む。
【０１９２】
実例１１０は、実例１０７の無線通信装置であり、第２の時間リソース指標を、ＲＲＣメッセージに含まれるセル固有のシフトパラメータに基づいて決定するための手段を含む。
【０１９３】
実例１１１は、実例１０５の無線通信装置であり、第２の時間リソース指標を、第２のＤ２Ｄ発見期間に対応するＤ２Ｄ発見期間指標値を参照せずに決定するための手段を含む。
【０１９４】
実例１１２は、実例１０５の無線通信装置であり、第２のＤ２Ｄ発見期間に対する複数の周波数リソース指標を、第１の時間リソース指標、第１の周波数リソース指標、第２のＤ２Ｄ発見期間に対応するＤ２Ｄ発見期間指標値、及び第２のＤ２Ｄ発見期間中に送信されるべきＤ２Ｄ発見媒体アクセス制御（ＭＡＣ）プロトコルデータユニット（ＰＤＵ）の数に基づいて決定するための手段と、Ｄ２Ｄ  ＭＡＣ  ＰＤＵを第２のＤ２Ｄ発見期間中に、複数の周波数リソース指標によって示された周波数リソースを使用して送信するための手段とを含む。
【０１９５】
実例１１３は、実例１０５の無線通信装置であり、第２の時間リソース指標及び第２の周波数リソース指標を、第２のＤ２Ｄ発見期間内に含まれるＤ２Ｄ発見サブフレームの数を示すパラメータに基づいて決定するための手段を含む。
【０１９６】
実例１１４は、システムであり、実例１０５から実例１１３のいずれかによる装置と、少なくとも１つの無線周波数（ＲＦ）トランシーバと、少なくとも１つのＲＦアンテナとを備える。
【０１９７】
実例１１５は、実例１１４のシステムであり、少なくとも１つのメモリユニットと、タッチスクリーン表示装置とを備える。
【０１９８】
実例１１６は、ユーザ機器（ＵＥ）であり、第１の時間リソース指標及び第１の周波数リソース指標を指定するデバイスツーデバイス（Ｄ２Ｄ）発見構成情報を含む無線リソース制御（ＲＲＣ）メッセージを受信するための少なくとも１つの無線周波数（ＲＦ）トランシーバと、少なくとも一部分がハードウェアの形である論理回路とを備え、この論理回路が、第１のＤ２Ｄ発見期間に対するＤ２Ｄ発見リソースプールに含まれるＤ２Ｄ発見リソースの組を含む第１のＵＥ固有のリソース割り当てを決定し、第１のＵＥ固有のリソース割り当てが、第１の時間リソース指標及び第１の周波数リソース指標に基づいて決定され、少なくとも１つのＲＦトランシーバが、Ｄ２Ｄ発見信号を第１のＤ２Ｄ発見期間中に、第１のＵＥ固有のリソース割り当てを使用して送信し、論理回路が、第２のＤ２Ｄ発見期間に対するＤ２Ｄ発見リソースプールに含まれるＤ２Ｄ発見リソースの組を含む第２のＵＥ固有のリソース割り当てを決定し、第２のＵＥ固有のリソース割り当てが、第１のＵＥ固有のリソース割り当て、及び第２のＤ２Ｄ発見期間に対するＤ２Ｄ発見期間指標値に基づいて決定される。
【０１９９】
実例１１７は、実例１１６のＵＥであり、少なくとも１つのＲＦトランシーバが、Ｄ２Ｄ発見信号を第２のＤ２Ｄ発見期間中に、第２のＵＥ固有のリソース割り当てを使用して送信する。
【０２００】
実例１１８は、実例１１６のＵＥであり、その論理回路が、第２のＤ２Ｄ発見期間に対するＤ２Ｄ発見リソース割り当てパラメータの組を、第１の時間リソース指標、第１の周波数リソース指標、及び第２のＤ２Ｄ発見期間に対するＤ２Ｄ発見期間指標値に基づいて決定し、Ｄ２Ｄ発見リソース割り当てパラメータの組が、第２の時間リソース指標及び第２の周波数リソース指標を含み、論理回路が、第２のＵＥ固有のリソース割り当てをＤ２Ｄ発見リソース割り当てパラメータの組に基づいて決定する。
【０２０１】
実例１１９は、実例１１８のＵＥであり、その論理回路が、第２の周波数リソース指標を、第１の時間リソース指標、第１の周波数リソース指標、及び第２のＤ２Ｄ発見期間に対するＤ２Ｄ発見期間指標値に基づいて決定する。
【０２０２】
実例１２０は、実例１１８のＵＥであり、その論理回路が、第２の時間リソース指標を、第２のＤ２Ｄ発見期間に対するＤ２Ｄ発見期間指標値を参照せずに決定する。
【０２０３】
実例１２１は、実例１１８のＵＥであり、その論理回路が、第２の時間リソース指標を、Ｄ２Ｄ発見構成情報に含まれるセル固有のシフトパラメータに基づいて決定する。
【０２０４】
実例１２２は、実例１１６のＵＥであり、その論理回路が、第２のＤ２Ｄ発見期間に対するＤ２Ｄ発見期間指標値を、第１のＤ２Ｄ発見期間に対するＤ２Ｄ発見期間指標値に基づいて決定し、第１のＤ２Ｄ発見期間に対するＤ２Ｄ発見期間指標値が、Ｄ２Ｄ発見構成情報に含まれる。
【０２０５】
実例１２３は、実例１２２のＵＥであり、その論理回路が、第２のＤ２Ｄ発見期間に対するＤ２Ｄ発見期間指標値を、第１のＤ２Ｄ発見期間に対するＤ２Ｄ発見期間指標値、及び定義された最大Ｄ２Ｄ発見期間指標値に基づいて決定する。
【０２０６】
実例１２４は、実例１１６から実例１２３のいずれかのＵＥであり、少なくとも１つのメモリユニットと、タッチスクリーン表示装置とを備える。
【０２０７】
実例１２５は、ユーザ機器（ＵＥ）であり、１つ又は複数のデバイスツーデバイス（Ｄ２Ｄ）発見信号を第１のＤ２Ｄ発見期間中に、第１の時間リソース指標及び第１の周波数リソース指標に基づいて識別されたＤ２Ｄ発見リソースを使用して送信するための少なくとも１つの無線周波数（ＲＦ）トランシーバと、少なくとも一部分がハードウェアの形である論理回路とを備え、この論理回路が、第２の時間リソース指標を、第１の時間リソース指標及び第１の周波数リソース指標に基づいて決定し、第２の周波数リソース指標を、第１の時間リソース指標、第１の周波数リソース指標、及び第２のＤ２Ｄ発見期間に対応するＤ２Ｄ発見期間指標値に基づいて決定し、かつ第２のＤ２Ｄ発見期間のＤ２Ｄ発見リソースを、第２の時間リソース指標及び第２の周波数リソース指標に基づいて識別する。
【０２０８】
実例１２６は、実例１２５のＵＥであり、少なくとも１つのＲＦトランシーバが、１つ又は複数のＤ２Ｄ発見信号を第２のＤ２Ｄ発見期間中に、第２のＤ２Ｄ発見期間の識別されたＤ２Ｄ発見リソースを使用して送信する。
【０２０９】
実例１２７は、実例１２５のＵＥであり、少なくとも１つのＲＦトランシーバが、第１の時間リソース指標と、第１の周波数リソース指標と、第１のＤ２Ｄ発見期間に対応するＤ２Ｄ発見期間指標値とを含む無線リソース制御（ＲＲＣ）メッセージを受信する。
【０２１０】
実例１２８は、実例１２７のＵＥであり、論理回路が、第２のＤ２Ｄ発見期間に対応するＤ２Ｄ発見期間指標値を、第１のＤ２Ｄ発見期間に対応するＤ２Ｄ発見期間指標値、及び定義された最大Ｄ２Ｄ発見期間指標値に基づいて決定する。
【０２１１】
実例１２９は、実例１２８のＵＥであり、その論理回路が、第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値未満であるという判定に応じて、第１のＤ２Ｄ発見期間に対応するＤ２Ｄ発見期間指標値をインクリメントすることによって決定し、かつ第２のＤ２Ｄ発見期間に対応するＤ２Ｄ発見期間指標値を、第１のＤ２Ｄ発見期間に対応するＤ２Ｄ発見期間指標値が、定義された最大Ｄ２Ｄ発見期間指標値に等しいという判定に応じて、０に等しくなるように決定する。
【０２１２】
実例１３０は、実例１２７のＵＥであり、その論理回路が、第２の時間リソース指標を、ＲＲＣメッセージに含まれるセル固有のシフトパラメータに基づいて決定する。
【０２１３】
実例１３１は、実例１２５のＵＥであり、その論理回路が、第２の時間リソース指標を、第２のＤ２Ｄ発見期間に対応するＤ２Ｄ発見期間指標値を参照せずに決定する。
【０２１４】
実例１３２は、実例１２５のＵＥであり、その論理回路が、第２のＤ２Ｄ発見期間に対する複数の周波数リソース指標を、第１の時間リソース指標、第１の周波数リソース指標、第２のＤ２Ｄ発見期間に対応するＤ２Ｄ発見期間指標値、及び第２のＤ２Ｄ発見期間中に送信されるべきＤ２Ｄ発見媒体アクセス制御（ＭＡＣ）プロトコルデータユニット（ＰＤＵ）の数に基づいて決定し、少なくとも１つのＲＦトランシーバが、Ｄ２Ｄ  ＭＡＣ  ＰＤＵを第２のＤ２Ｄ発見期間中に、複数の周波数リソース指標によって示された周波数リソースを使用して送信する。
【０２１５】
実例１３３は、実例１２５のＵＥであり、その論理回路が、第２の時間リソース指標及び第２の周波数リソース指標を、第２のＤ２Ｄ発見期間内に含まれるＤ２Ｄ発見サブフレームの数を示すパラメータに基づいて決定する。
【０２１６】
実例１３４は、実例１２５から実例１３３のいずれかのＵＥであり、少なくとも１つのメモリユニットと、タッチスクリーン表示装置とを備える。
【０２１７】
実例１３５は、無線通信装置であり、第１の時間リソース指標及び第１の周波数リソース指標を指定するデバイスツーデバイス（Ｄ２Ｄ）発見構成情報を含む無線リソース制御（ＲＲＣ）メッセージを受信するための手段と、第１のＤ２Ｄ発見期間に対するＤ２Ｄ発見リソースプールに含まれるＤ２Ｄ発見リソースの組を含む第１のユーザ機器（ＵＥ）固有のリソース割り当てを決定するための手段とを備え、第１のＵＥ固有のリソース割り当てが、第１の時間リソース指標及び第１の周波数リソース指標に基づいて決定され、無線通信装置がさらに、Ｄ２Ｄ発見信号を第１のＤ２Ｄ発見期間中に、第１のＵＥ固有のリソース割り当てを使用して送信するための手段と、第２のＤ２Ｄ発見期間に対するＤ２Ｄ発見リソースプールに含まれるＤ２Ｄ発見リソースの組を含む第２のＵＥ固有のリソース割り当てを決定するための手段とを備え、第２のＵＥ固有のリソース割り当てが、第１のＵＥ固有のリソース割り当て、及び第２のＤ２Ｄ発見期間に対するＤ２Ｄ発見期間指標値に基づいて決定される。
【０２１８】
実例１３６は、実例１３５の無線通信装置であり、Ｄ２Ｄ発見信号を第２のＤ２Ｄ発見期間中に、第２のＵＥ固有のリソース割り当てを使用して送信するための手段を備える。
【０２１９】
実例１３７は、実例１３５の無線通信装置であり、第２のＤ２Ｄ発見期間に対するＤ２Ｄ発見リソース割り当てパラメータの組を、第１の時間リソース指標、第１の周波数リソース指標、及び第２のＤ２Ｄ発見期間に対するＤ２Ｄ発見期間指標値に基づいて決定するための手段を備え、Ｄ２Ｄ発見リソース割り当てパラメータの組が、第２の時間リソース指標及び第２の周波数リソース指標を含み、無線通信装置がさらに、第２のＵＥ固有のリソース割り当てをＤ２Ｄ発見リソース割り当てパラメータの組に基づいて決定するための手段を備える。
【０２２０】
実例１３８は、実例１３７の無線通信装置であり、第２の周波数リソース指標を、第１の時間リソース指標、第１の周波数リソース指標、及び第２のＤ２Ｄ発見期間に対するＤ２Ｄ発見期間指標値に基づいて決定するための手段を備える。
【０２２１】
実例１３９は、実例１３７の無線通信装置であり、第２の時間リソース指標を、第２のＤ２Ｄ発見期間に対するＤ２Ｄ発見期間指標値を参照せずに決定するための手段を備える。
【０２２２】
実例１４０は、実例１３７の無線通信装置であり、第２の時間リソース指標を、Ｄ２Ｄ発見構成情報に含まれるセル固有のシフトパラメータに基づいて決定するための手段を備える。
【０２２３】
実例１４１は、実例１３５の無線通信装置であり、第２のＤ２Ｄ発見期間に対するＤ２Ｄ発見期間指標値を、第１のＤ２Ｄ発見期間に対するＤ２Ｄ発見期間指標値に基づいて決定するための手段を備え、第１のＤ２Ｄ発見期間に対するＤ２Ｄ発見期間指標値が、Ｄ２Ｄ発見構成情報に含まれる。
【０２２４】
実例１４２は、実例１４１の無線通信装置であり、第２のＤ２Ｄ発見期間に対するＤ２Ｄ発見期間指標値を、第１のＤ２Ｄ発見期間に対するＤ２Ｄ発見期間指標値、及び定義された最大Ｄ２Ｄ発見期間指標値に基づいて決定するための手段を備える。
【０２２５】
実例１４３は、システムであり、実例１３５から実例１４２のいずれかによる装置と、少なくとも１つの無線周波数（ＲＦ）トランシーバと、少なくとも１つのＲＦアンテナとを備える。
【０２２６】
実例１４４は、実例１４３のシステムであり、少なくとも１つのメモリユニットと、タッチスクリーン表示装置とを備える。
【０２２７】
実例１４５は、無線通信命令の組を含む少なくとも１つの非一時的なコンピュータ可読記憶媒体であり、この無線通信命令の組がユーザ機器（ＵＥ）において実行されることに応じて、ＵＥが、第１のデバイスツーデバイス（Ｄ２Ｄ）発見期間に対するＤ２Ｄ発見期間指標値、並びに第１のＤ２Ｄ発見期間に対するＤ２Ｄ発見リソース割り当てを示すＤ２Ｄ発見リソース割り当てパラメータの第１の組を含む、Ｄ２Ｄ構成情報を受信し、第１のＤ２Ｄ発見信号を第１のＤ２Ｄ発見期間中に、第１のＤ２Ｄ発見期間に対するＤ２Ｄ発見リソース割り当てを使用して送信し、第２のＤ２Ｄ発見期間に対するＤ２Ｄ発見期間指標値を第１のＤ２Ｄ発見期間に対するＤ２Ｄ発見期間指標値に基づいて決定し、かつＤ２Ｄ発見リソース割り当てパラメータの第２の組をＤ２Ｄ発見リソース割り当てパラメータの第１の組、及び第２のＤ２Ｄ発見期間に対するＤ２Ｄ発見期間指標値に基づいて決定することになり、Ｄ２Ｄ発見リソース割り当てパラメータの第２の組が、第２のＤ２Ｄ発見期間に対するＤ２Ｄ発見リソース割り当てを示す。
【０２２８】
実例１４６は、実例１４５の少なくとも１つの非一時的なコンピュータ可読記憶媒体であり、Ｄ２Ｄ発見リソース割り当てパラメータの第１の組が、第１のＤ２Ｄ発見周波数リソース指標、及び第１のＤ２Ｄ発見時間リソース指標を含み、Ｄ２Ｄ発見リソース割り当てパラメータの第２の組が、第２のＤ２Ｄ発見周波数リソース指標、及び第２のＤ２Ｄ発見時間リソース指標を含む。
【０２２９】
実例１４７は、実例１４６の少なくとも１つの非一時的なコンピュータ可読記憶媒体であり、無線通信命令を含み、この無線通信命令がＵＥにおいて実行されることに応じて、ＵＥが、第２のＤ２Ｄ発見周波数リソース指標を、第１のＤ２Ｄ発見周波数リソース指標、第１のＤ２Ｄ発見時間リソース指標、及び第２のＤ２Ｄ発見期間に対するＤ２Ｄ発見期間指標値に基づいて決定することになる。
【０２３０】
実例１４８は、実例１４６の少なくとも１つの非一時的なコンピュータ可読記憶媒体であり、無線通信命令を含み、この無線通信命令がＵＥにおいて実行されることに応じて、ＵＥが、第２のＤ２Ｄ発見時間リソース指標を、第２のＤ２Ｄ発見期間に対するＤ２Ｄ発見期間指標値を参照せずに決定することになる。
【０２３１】
実例１４９は、実例１４６の少なくとも１つの非一時的なコンピュータ可読記憶媒体であり、無線通信命令を含み、この無線通信命令がＵＥにおいて実行されることに応じて、ＵＥが、第２のＤ２Ｄ発見時間リソース指標を、Ｄ２Ｄ構成情報に含まれるセル固有のシフトパラメータに基づいて決定することになる。
【０２３２】
実例１５０は、実例１４５の少なくとも１つの非一時的なコンピュータ可読記憶媒体であり、無線通信命令を含み、この無線通信命令がＵＥにおいて実行されることに応じて、ＵＥが、第２のＤ２Ｄ発見期間に対するＤ２Ｄ発見期間指標値を、第１のＤ２Ｄ発見期間に対するＤ２Ｄ発見期間指標値、及び最大許容Ｄ２Ｄ発見期間指標値に基づいて決定することになる。
【０２３３】
実例１５１は、実例１５０の少なくとも１つの非一時的なコンピュータ可読記憶媒体であり、無線通信命令を含み、この無線通信命令がＵＥにおいて実行されることに応じて、ＵＥが、第２のＤ２Ｄ発見期間に対するＤ２Ｄ発見期間指標値として０の値を、第１のＤ２Ｄ発見期間に対するＤ２Ｄ発見期間指標値が最大許容Ｄ２Ｄ発見期間指標値に等しいという判定に応じて決定することになる。
【０２３４】
実例１５２は、実例１４５の少なくとも１つの非一時的なコンピュータ可読記憶媒体であり、無線通信命令を含み、この無線通信命令がＵＥにおいて実行されることに応じて、ＵＥが、第２のＤ２Ｄ発見信号を第２のＤ２Ｄ発見期間中に、第２のＤ２Ｄ発見期間に対するＤ２Ｄ発見リソース割り当てを使用して送信することになる。
【０２３５】
多くの具体的な詳細が、実施形態の完全な理解が得られるように本明細書で論述された。しかし、当業者には、これらの具体的な詳細がなくても実施形態を実施できることが理解されよう。別の事例では、よく知られている動作、コンポーネント、及び回路については、実施形態を不明瞭にしないようにするために、詳細には説明されていない。本明細書に開示された具体的な構造及び機能上の詳細は、代表的なものであり得ること、また実施形態の範囲を必ずしも限定しないことを理解することができよう。
【０２３６】
いくつかの実施形態は、「結合された」及び「接続された」という表現を、その派生語と共に使用して説明されることがある。これらの用語は、互いに同意語として意図されていない。たとえば、いくつかの実施形態は、２つ以上の要素が互いに直に物理的又は電気的に接触していることを示すために、「接続された」及び／又は「結合された」という用語を使用して説明されることがある。しかし、「結合された」という用語はまた、２つ以上の要素が互いに直には接触していないが、それでもなお互いに協働又は相互作用することを意味することもある。
【０２３７】
特にことわらない限り、「処理する」、「算出する」、「計算する」、「決定する」などの用語は、コンピュータ若しくは計算システム、又は類似の電子計算デバイスの動作及び／又は処理を指すことが理解されよう。このシステム及び／又はデバイスは、計算システムのレジスタ及び／若しくはメモリ内の物理量（たとえば、電子量）として表されたデータを、計算システムのメモリ、レジスタ、又は他のこのような情報記憶装置、送信若しくは表示デバイス内の物理量として同様に表される別のデータになるように操作し、かつ／又は変換する。実施形態は、この文脈に限定されない。
【０２３８】
本明細書に記載された方法は、記載された順序で、又は何か特定の順序で実行されなくてもよいことに留意されたい。さらに、本明細書で明らかにされた方法に関して説明された様々な動作は、連続にも並行にも実行することができる。
【０２３９】
具体的な実施形態が本明細書で例示され説明されているが、同じ目的を達成するために適合されたどんな構成も、図示された特定の実施形態と置き換えができることを理解されたい。本開示は、様々な実施形態のあらゆるすべての改造物又は変形物を包含することを意図するものである。上記の記述は説明としてなされており、限定的なものではないことを理解されたい。上記の実施形態の組合せ、及び本明細書では具体的に説明されていない他の実施形態が、上記の説明を見直すことによって当業者には明らかになろう。したがって、様々な実施形態の範囲には、上記の構成、構造、及び方法が使用される他の任意の適用例が含まれる。
【０２４０】
読者が技術開示の本質を素早く確認できるようにする要約を求める３７Ｃ．Ｆ．Ｒ．§１．７２（ｂ）に従って、要約書が提供されることが強調される。この要約書は、それが特許請求項の範囲又は意味を解釈又は限定するために使用されないものとして提出される。加えて、上記の「発明を実施するための形態」では、開示を簡素化する目的で、様々な特徴が単一の実施形態にまとめられていることが分かる。この開示方法は、特許請求された実施形態が、各請求項で明確に列挙されたものよりも多い特徴を必要とするという意図を表すものと解釈されるべきものではない。むしろ、添付の請求項が反映するように、発明の主題は、単独の開示された実施形態のすべての特徴よりも少ない。すなわち、添付の請求項は、本明細書では「発明を実施するための形態」に組み込まれており、各請求項が、それ自体で別個の好ましい実施形態として存立している。添付の請求項では、「including」及び「in  which」という用語はそれぞれ、「comprising」及び「wherein」というそれぞれの用語の平易な英語の同義語として使用されている。さらに「第１の」、「第２の」、及び「第３の」などの用語は、単に標識として使用されており、その対象物に数値的な要件を課すことを意図するものではない。
【０２４１】
主題は、構造的特徴及び／又は方法論的作用に特有の言語で説明されているが、添付の請求項で定義されている主題は必ずしも上記の具体的な特徴又は作用に限定されないことを理解されたい。むしろ、上記の具体的な特徴及び作用は、請求項を実施する例示的な形として開示されている。
【図１】
0006386160.tif 000017
【図２】
0006386160.tif 000018
【図３】
0006386160.tif 000019
【図４】
0006386160.tif 000020
【図５】
0006386160.tif 000021
【図６】
0006386160.tif 000022
【図７】
0006386160.tif 000023
【図８】
0006386160.tif 000024
【図９】
0006386160.tif 000025